(57)【要約】      （修正有）【解決手段】メンバが非メンバよりもシステム・リソースに対して優先アクセスを有するように、クローズド・グループ（ＣＳＧ）加入データとシステム・リソースを示す値の両方に基づいて、無線アクセス・ポイントとＵＥとの間の通信のサービス品質ＱｏＳを選択的に調節するためのシステム、方法、及びデバイスを提供する。【効果】ハイブリッド・モードで動作しているアクセス・ポイントは、ＣＳＧメンバに特定のＱｏＳレベルを提供するために、通信リンクを終了させる必要なく、ＣＳＧメンバと非メンバとを区別する。未使用で利用可能な容量を利用するために、非メンバは、低いＱｏＳレベルを持つ新たな通信リンクを維持または確立し、これによって、ハイブリッド・モードで動作するフェムト・ノードで利用可能なシステム・リソースを増加させる。【選択図】図４
2014180018.tif 000002
【特許請求の範囲】
【請求項１】
無線アクセス・ポイントにおいて通信を管理する方法であって、
前記無線アクセス・ポイントから提供されるシステム・リソースへのアクセスを求める要求を、第１のアクセス端末から受信することと、
前記第１のアクセス端末が、グループのメンバであるか非メンバであるかを判定することと、
前記第１のアクセス端末がメンバであるか非メンバであるかに基づいて、複数のサービス・レベルのうちの１つから、前記第１のアクセス端末のためのサービス・レベルを決定することとを備え、
前記メンバおよび非メンバのためのそれぞれのサービス・レベルは異なっている、方法。
【請求項２】
前記第１のアクセス端末が、メンバであるか非メンバであるかを示すメッセージを受信することをさらに備える請求項１に記載の方法。
【請求項３】
前記メッセージは、コア・ネットワーク内の要素から受信される、請求項２に記載の方法。
【請求項４】
前記サービス・レベルを決定することは、システム・リソースのうちの、前記グループに含まれる１または複数の別のアクセス端末に割り当てられたシステム・リソースの異なる部分よりもわずかな部分を、前記第１のアクセス端末へ割り当てることを含む、請求項１に記載の方法。
【請求項５】
前記無線アクセス・ポイントから提供されるシステム・リソースを示す少なくとも１つの値を決定することと、
前記システム・リソースを示す値と、前記第１のアクセス端末および第２のアクセス端末のうちの少なくとも１つがグループのメンバであるかとの両方に基づいて、前記無線アクセス・ポイントと前記第２のアクセス端末との間の通信のサービス品質（ＱｏＳ）を選択的に調節することとをさらに備え、
メンバは、非メンバよりも、システム・リソースに対して優先アクセスを有する、請求項１に記載の方法。
【請求項６】
前記第１のアクセス端末および第２のアクセス端末の両方がメンバであり、前記要求に応えることが、前記無線アクセス・ポイントと前記第２のアクセス端末との間の通信のＱｏＳに悪影響を与えるのであれば、前記ＱｏＳは調節されない、請求項５に記載の方法。
【請求項７】
前記第２のアクセス端末がメンバであり、前記第１のアクセス端末が非メンバである場合、前記ＱｏＳは調節されない、請求項５に記載の方法。
【請求項８】
システム・リソースを示す少なくとも１つの値は、利用可能な容量、利用された容量、および合計容量、のうちの１つを示すデータを備える、請求項５に記載の方法。
【請求項９】
前記利用可能な容量を決定することは、前記無線アクセス・ポイントへの確立されたリンクの無いアクセス端末が、前記無線アクセス・ポイントへの確立されたリンクを持つアクセス端末へ提供されたＱｏＳに悪影響を与えることなく、システム・リソースへのアクセスが提供されうるかを判定することを含む、請求項８に記載の方法。
【請求項１０】
前記第１のアクセス端末が、グループのメンバであるかを判定することと、
前記第１のアクセス端末が非メンバであり、アクセスを提供することが、前記無線アクセス・ポイントへの確立されたリンクを持つグループ・メンバに提供されたＱｏＳに悪影響を与えるのであれば、前記第１のアクセス端末の、システム・リソースへのアクセスを拒否することと
をさらに備える請求項９に記載の方法。
【請求項１１】
アクセスを提供することが、前記無線アクセス・ポイントへの確立されたリンクを持つ任意のアクセス端末に提供されたＱｏＳに悪影響を与えない限り、前記第１のアクセス端末に、システム・リソースへのアクセスを提供すること、をさらに備える請求項１０に記載の方法。
【請求項１２】
前記第１のアクセス端末へアクセスを提供することに応じるために低下されうるＱｏＳをそれぞれ有する非メンバであり、無線アクセス・ポイントへの確立されたリンクを持つ、少なくとも１つのアクセス端末が存在するかを判定することと、
前記第１のアクセス端末が非メンバであり、前記第１のアクセス端末に応じるために低下されうるＱｏＳをそれぞれ有する少なくとも１つの非メンバ・アクセス端末が存在する場合、前記第１のアクセス端末に、システム・リソースへのアクセスを提供することと
をさらに備える請求項１０に記載の方法。
【請求項１３】
前記無線アクセス・ポイントと、以前に確立された低優先度のリンクを持つ非メンバとの間の通信を終了させること、および、以前に確立された低優先度のリンクを持つ非メンバのＱｏＳを低下させること、のうちの１つによって、前記第１のアクセス端末に、システム・リソースへのアクセスを提供することをさらに備える請求項１０に記載の方法。
【請求項１４】
前記第１のアクセス端末が、グループのメンバであるかを判定することと、
前記第１のアクセス端末がメンバであり、前記無線アクセス・ポイントへの以前に確立されたリンクを持つ少なくとも１つの非メンバが存在する場合、前記無線アクセス・ポイントと前記非メンバとの間の通信を終了させること、および、前記非メンバのためのＱｏＳを低下させることのうちの１つによって、前記第１のアクセス端末に、システム・リソースへのアクセスを提供することと
をさらに備える請求項９に記載の方法。
【請求項１５】
前記第１のアクセス端末がメンバであり、前記無線アクセス・ポイントへの以前に確立されたリンクを持つ少なくとも１つの他のメンバが存在する場合、前記他のメンバのためのＱｏＳを低下させることによって、前記第１のアクセス端末に、システム・リソースへのアクセスを提供することをさらに備える請求項１４に記載の方法。
【請求項１６】
前記第１のアクセス端末に、システム・リソースへのアクセスが提供されうるかを、非メンバとの通信のＱｏＳを調節することによって判定することと、
少なくとも１つの非メンバのＱｏＳを低下させることによって、前記第１のアクセス端末に、システム・リソースへのアクセスを提供することと
をさらに備える請求項１４に記載の方法。
【請求項１７】
前記アクセス端末のうちのいくつかが、複数の異なるグループに属しており、これらグループのおのおのは、少なくとも１つの別のグループと比べて、前記システム・リソースへの異なる優先アクセス権を有する、請求項１に記載の方法。
【請求項１８】
前記ＱｏＳは、許容可能なビット誤り率、許容可能なシンボル誤り率、許容可能なパケット誤り率、データ送信レート、シンボル送信レート、パケット送信レート、保証ビット・レート、許容可能な信号対雑音、割当および保持優先度のうちの少なくとも１つによって定義される、請求項５に記載の方法。
【請求項１９】
前記第１のアクセス端末は、保証ビット・レート（ＧＢＲ）サービスを備えた通信リンクを要求し、メンバおよび非メンバに提供されたそれぞれのサービス・レベル間の区別は、割当および保持優先度（ＡＲＰ）を適用することにより、アクセス制御とともに実施される、請求項１に記載の方法。
【請求項２０】
前記第１のアクセス端末は、非保証ビット・レート（非ＧＢＲ）サービスを備えた通信リンクを要求し、メンバおよび非メンバに提供されたそれぞれのサービス・レベル間の区別は、高優先度を持つメンバのパケットを取り扱うことによって実施され、その結果、非メンバに比べて、メンバに対して高いスループットおよび低い遅延となる、請求項１に記載の方法。
【請求項２１】
無線アクセス・ポイントであって、
前記無線アクセス・ポイントから提供されるシステム・リソースへのアクセスを求める要求を、第１のアクセス端末から受信するように構成された受信機と、
前記無線アクセス・ポイントと１または複数のアクセス端末との間に順方向チャネルを提供するように構成された送信機と、
ここで、前記順方向チャネルは、前記システム・リソースのうちの少なくとも一部を備え、
コードを実行するように構成されたコントローラと、
前記コントローラによって実行された場合、前記第１のアクセス端末が、グループのメンバであるか非メンバであるかを判定し、前記第１のアクセス端末がメンバであるか非メンバであるかに基づいて、前記第１のアクセス端末のために、複数のサービス・レベルのうちの１つから、サービス・レベルを決定し、ここで、メンバおよび非メンバのためのそれぞれのサービス・レベルは異なっている、ように構成されたコードを格納する非一時的コンピュータ読取可能メモリと
を備える無線アクセス・ポイント。
【請求項２２】
前記受信機はさらに、前記無線アクセス・ポイントと１または複数のアクセス端末との間の逆方向チャネル通信を可能にするように構成され、前記逆方向チャネルは、前記システム・リソースのうちの少なくとも一部を備える、請求項２１に記載の無線アクセス・ポイント。
【請求項２３】
無線ネットワーク内のモビリティ管理エンティティから、前記無線アクセス・ポイントへ、グループ・メンバシップ・データが提供される、請求項２１に記載の無線アクセス・ポイント。
【請求項２４】
前記サービス・レベルを決定することは、システム・リソースのうちの、前記グループに含まれる１または複数の別のアクセス端末に割り当てられたシステム・リソースの異なる部分よりもわずかな部分を、前記第１のアクセス端末へ割り当てることを含む、請求項２１に記載の無線アクセス・ポイント。
【請求項２５】
前記非一時的コンピュータ読取可能メモリはさらに、前記コントローラによって実行された場合、
前記無線アクセス・ポイントから提供されるシステム・リソースを示す少なくとも１つの値を決定し、
前記システム・リソースを示す値と、第１のアクセス端末および第２のアクセス端末のうちの少なくとも１つがグループのメンバであるかとの両方に基づいて、前記無線アクセス・ポイントと前記第２のアクセス端末との間の通信のサービス品質（ＱｏＳ）を選択的に調節し、ここで、メンバは、非メンバよりも、システム・リソースに対して優先アクセスを有する、ように構成されたコードを格納している、請求項２１に記載の無線アクセス・ポイント。
【請求項２６】
前記非一時的コンピュータ読取可能メモリはさらに、前記コントローラによって実行された場合、前記無線アクセス・ポイントへの確立されたリンクの無いアクセス端末が、前記無線アクセス・ポイントへの確立されたリンクを持つアクセス端末へ提供されたＱｏＳに悪影響を与えることなく、システム・リソースへのアクセスが提供されうるかを判定するように構成されたコードを備える、請求項２５に記載の無線アクセス・ポイント。
【請求項２７】
前記非一時的コンピュータ読取可能メモリはさらに、前記コントローラによって実行された場合、
前記第１のアクセス端末が、グループのメンバであるかを判定することと、
前記第１のアクセス端末が非メンバであり、アクセスを提供することが、前記無線アクセス・ポイントへの確立されたリンクを持つグループ・メンバに提供されたＱｏＳに悪影響を与えるのであれば、前記第１のアクセス端末の、システム・リソースへのアクセスを拒否する、
ように構成されたコードを備える、請求項２５に記載の無線アクセス・ポイント。
【請求項２８】
前記非一時的コンピュータ読取可能メモリはさらに、前記コントローラによって実行された場合、アクセスを提供することが、前記無線アクセス・ポイントへの確立されたリンクを持つ任意のアクセス端末に提供されたＱｏＳに悪影響を与えない限り、前記第１のアクセス端末に、システム・リソースへのアクセスを提供するように構成されたコードを備える、請求項２７に記載の無線アクセス・ポイント。
【請求項２９】
前記非一時的コンピュータ読取可能メモリはさらに、前記コントローラによって実行された場合、
前記第１のアクセス端末へアクセスを提供することに応じるために低下されうるＱｏＳをそれぞれ有する非メンバであり、無線アクセス・ポイントへの確立されたリンクを持つ、少なくとも１つのアクセス端末が存在するかを判定し、
前記第１のアクセス端末が非メンバであり、前記第１のアクセス端末に応じるために低下されうるＱｏＳをそれぞれ有する少なくとも１つの非メンバ・アクセス端末が存在する場合、前記第１のアクセス端末に、システム・リソースへのアクセスを提供する
ように構成されたコードを備える、請求項２７に記載の無線アクセス・ポイント。
【請求項３０】
前記非一時的コンピュータ読取可能メモリはさらに、前記コントローラによって実行された場合、前記無線アクセス・ポイントと、以前に確立された低優先度のリンクを持つ非メンバとの間の通信を終了させること、および、以前に確立された低優先度のリンクを持つ非メンバのＱｏＳを低下させること、のうちの１つによって、前記第１のアクセス端末に、システム・リソースへのアクセスを提供するように構成されたコードを備える、請求項２７に記載の無線アクセス・ポイント。
【請求項３１】
前記非一時的コンピュータ読取可能メモリはさらに、前記コントローラによって実行された場合、前記第１のアクセス端末がメンバであり、前記無線アクセス・ポイントへの以前に確立されたリンクを持つ少なくとも１つの非メンバが存在する場合、前記無線アクセス・ポイントと前記非メンバとの間の通信を終了させること、および、前記非メンバのためのＱｏＳを低下させることのうちの１つによって、前記第１のアクセス端末に、システム・リソースへのアクセスを提供する、ように構成されたコードを備える、請求項２６に記載の無線アクセス・ポイント。
【請求項３２】
前記非一時的コンピュータ読取可能メモリはさらに、前記コントローラによって実行された場合、前記第１のアクセス端末がメンバであり、前記無線アクセス・ポイントへの以前に確立されたリンクを持つ少なくとも１つの他のメンバが存在する場合、前記他のメンバのためのＱｏＳを低下させることによって、前記第１のアクセス端末に、システム・リソースへのアクセスを提供する、ように構成されたコードを備える、請求項３１に記載の無線アクセス・ポイント。
【請求項３３】
前記非一時的コンピュータ読取可能メモリはさらに、前記コントローラによって実行された場合、
前記第１のアクセス端末に、システム・リソースへのアクセスが提供されうるかを、非メンバとの通信のＱｏＳを調節することによって判定し、
少なくとも１つの非メンバのＱｏＳを低下させることによって、前記第１のアクセス端末に、システム・リソースへのアクセスを提供する
ように構成されたコードを備える、請求項３１に記載の無線アクセス・ポイント。
【請求項３４】
コンピューティング・デバイスによって実行された場合、
第１のアクセス端末が、グループのメンバであるか非メンバであるかを判定し、
前記第１のアクセス端末がメンバであるか非メンバであるかに基づいて、前記第１のアクセス端末のために、複数のサービス・レベルのうちの１つから、サービス・レベルを決定し、ここで、メンバおよび非メンバのためのそれぞれのサービス・レベルは異なっている、
ように構成された、格納された機械実行可能な命令群を有する機械読取可能媒体を備える、コンピュータ・プログラム製品。
【請求項３５】
コンピューティング・デバイスによって実行された場合、アクセス・ポイントから提供されるシステム・リソースへのアクセスを求める要求を、第１のアクセス端末から受信するように構成された、格納された機械実行可能な命令群をさらに備える、請求項３４に記載のコンピュータ・プログラム製品。
【請求項３６】
コンピューティング・デバイスによって実行された場合、システム・リソースを示す値と、前記第１のアクセス端末および第２のアクセス端末のうちの少なくとも１つがグループのメンバであるかとの両方に基づいて、無線アクセス・ポイントと前記第２のアクセス端末との間の通信のサービス品質（ＱｏＳ）を選択的に調節する、ここで、メンバは、非メンバよりも、システム・リソースに対して優先アクセスを有する、ように構成された、格納された機械実行可能な命令群をさらに備える、請求項３４に記載のコンピュータ・プログラム製品。
【請求項３７】
コンピューティング・デバイスによって実行された場合、前記無線アクセス・ポイントへの確立されたリンクの無いアクセス端末が、前記無線アクセス・ポイントへの確立されたリンクを持つアクセス端末へ提供されたＱｏＳに悪影響を与えることなく、システム・リソースへのアクセスが提供されうるかを判定する、ように構成された、格納された機械実行可能な命令群をさらに備える、請求項３６に記載のコンピュータ・プログラム製品。
【請求項３８】
コンピューティング・デバイスによって実行された場合、前記第１のアクセス端末が非メンバであり、アクセスを提供することが、前記無線アクセス・ポイントへの確立されたリンクを持つグループ・メンバに提供されたＱｏＳに悪影響を与えるのであれば、前記第１のアクセス端末の、システム・リソースへのアクセスを拒否する、ように構成された、格納された機械実行可能な命令群をさらに備える、請求項３７に記載のコンピュータ・プログラム製品。
【請求項３９】
コンピューティング・デバイスによって実行された場合、アクセスを提供することが、確立されたリンクを持つ任意のアクセス端末に提供されたＱｏＳに悪影響を与えない限り、前記第１のアクセス端末に、システム・リソースへのアクセスを提供する、ように構成された、格納された機械実行可能な命令群をさらに備える、請求項３８に記載のコンピュータ・プログラム製品。
【請求項４０】
コンピューティング・デバイスによって実行された場合、
前記第１のアクセス端末へアクセスを提供することに応じるために低下されうるＱｏＳをそれぞれ有する非メンバであり、無線アクセス・ポイントへの確立されたリンクを持つ、少なくとも１つのアクセス端末が存在するかを判定し、
前記第１のアクセス端末が非メンバであり、前記第１のアクセス端末に応じるために低下されうるＱｏＳをそれぞれ有する少なくとも１つの非メンバ・アクセス端末が存在する場合、前記第１のアクセス端末に、システム・リソースへのアクセスを提供する
ように構成された、格納された機械実行可能な命令群をさらに備える、請求項３９に記載のコンピュータ・プログラム製品。
【請求項４１】
コンピューティング・デバイスによって実行された場合、前記無線アクセス・ポイントと、以前に確立された低優先度のリンクを持つ非メンバとの間の通信を終了させること、および、以前に確立された低優先度のリンクを持つ非メンバのＱｏＳを低下させること、のうちの１つによって、前記第１のアクセス端末に、システム・リソースへのアクセスを提供するように構成された、格納された機械実行可能な命令群をさらに備える、請求項３９に記載のコンピュータ・プログラム製品。
【請求項４２】
コンピューティング・デバイスによって実行された場合、前記第１のアクセス端末がメンバであり、前記無線アクセス・ポイントへの以前に確立されたリンクを持つ少なくとも１つの非メンバが存在する場合、前記無線アクセス・ポイントと前記非メンバとの間の通信を終了させること、および、前記非メンバのＱｏＳを低下させること、のうちの１つによって、前記第１のアクセス端末に、システム・リソースへのアクセスを提供するように構成された、格納された機械実行可能な命令群をさらに備える、請求項３９に記載のコンピュータ・プログラム製品。
【請求項４３】
コンピューティング・デバイスによって実行された場合、前記第１のアクセス端末がメンバであり、前記無線アクセス・ポイントへの以前に確立されたリンクを持つ少なくとも１つの他のメンバが存在する場合、前記他のメンバのためのＱｏＳを低下させることによって、前記第１のアクセス端末に、システム・リソースへのアクセスを提供するように構成された、格納された機械実行可能な命令群をさらに備える、請求項３９に記載のコンピュータ・プログラム製品。
【請求項４４】
コンピューティング・デバイスによって実行された場合、
前記第１のアクセス端末に、システム・リソースへのアクセスが提供されうるかを、非メンバとの通信のＱｏＳを調節することによって判定し、
少なくとも１つの非メンバのＱｏＳを低下させることによって、前記第１のアクセス端末に、システム・リソースへのアクセスを提供する
ように構成された、格納された機械実行可能な命令群をさらに備える、請求項３９に記載のコンピュータ・プログラム製品。
【請求項４５】
無線アクセス・ポイントであって、
前記無線アクセス・ポイントから提供されるシステム・リソースへのアクセスを求める要求を、第１のアクセス端末から受信する手段と、
前記無線アクセス・ポイントから提供されるシステム・リソースを示す少なくとも１つの値を決定する手段と、
コードを実行する手段によって実行された場合、前記第１のアクセス端末がメンバであるか非メンバであるかに基づいて、複数のサービス・レベルのうちの１つから、前記第１のアクセス端末へのサービス・レベルを決定するように構成されたコードを格納する手段とを備え、
メンバおよび非メンバのためのそれぞれのサービス・レベルは異なっている、無線アクセス・ポイント。
【請求項４６】
前記コードを格納する手段はさらに、システム・リソースを示す値と、前記第１のアクセス端末および第２のアクセス端末のうちの少なくとも１つがグループのメンバであるかとの両方に基づいて、前記無線アクセス・ポイントと前記第２のアクセス端末との間の通信のサービス品質（ＱｏＳ）を選択的に調節し、ここで、メンバは、非メンバよりも、システム・リソースに対して優先アクセスを有する、ように構成された請求項４５に記載の無線アクセス・ポイント。
【請求項４７】
前記無線アクセス・ポイントと１または複数のアクセス端末との間に順方向チャネルを提供する手段、ここで、前記順方向チャネルは、前記システム・リソースのうちの少なくとも一部を備える、をさらに備える請求項４５に記載の無線アクセス・ポイント。
【請求項４８】
前記受信する手段はさらに、前記無線アクセス・ポイントと１または複数のアクセス端末との間の逆方向チャネル通信を可能にし、前記逆方向チャネルは、前記システム・リソースのうちの少なくとも一部を備える、ように構成された請求項４５に記載の無線アクセス・ポイント。
【発明の詳細な説明】
【優先権主張】
【０００１】
本特許出願は、２００９年４月１６日に出願され「METHOD, APPARATUS, AND SYSTEM TO ENABLE SERVICE AT A HOME BASE STATION FOR CLOSED SUBSCRIBER GROUP MEMBERS AND NON-MEMBERS」（クローズド加入者グループのメンバおよび非メンバのため、ホーム基地局におけるサービスを可能にするための方法、装置、およびシステム）と題された米国仮出願６１／１６９，９８９号に対する優先権を主張する。本特許出願は、２００９年１０月２９日に出願され「ホーム基地局のための複数のノードのためのサポート」（SUPPORT FOR MULTIPLE MODES FOR HOME BASE STATIONS）と題された米国仮出願１２／６０７，８９９号に対する優先権を主張する。上記両出願は、本明細書において参照において本明細書に明確に組み込まれている。
【技術分野】
【０００２】
本特許出願は、無線ネットワークに関し、さらに詳しくは、無線ネットワーク・リソースの管理を可能にするシステム、方法、およびデバイスに関する。
【背景技術】
【０００３】
無線通信システムは、複数のユーザにさまざまなタイプの通信（例えば、音声サービス、データ・サービス、マルチメディア・サービス等）を提供するために広く展開されている。高レート・サービスおよびマルチメディア・データ・サービスに対する要求が急速に成長しているので、増大したパフォーマンスで効率的かつロバストな通信システムを実現するというチャレンジがある。
【０００４】
現在展開されているモバイル電話ネットワークに加えて、小型の基地局からなる新たなクラスが出現している。これは、プライベート空間またはパブリック空間に搭載され、既存のブロードバンド・インターネット接続を用いて、モバイル・ユニットに屋内無線有効通信範囲を提供する。これら小型の基地局は、一般に、アクセス・ポイント基地局、あるいは、ホーム・ノードＢ（ＨｅＮＢまたはＨＮＢ）またはフェムト・セルとして知られている。典型的には、フェムト・ノードは、ダイレクト加入者線（ＤＳＬ）ルータまたはケーブル・モデムを経由して、インターネットおよびモバイル・オペレータのネットワークに接続される。従来のマクロ・ノードまたはセルの有効通信範囲エリアでは、個々のユーザによって、複数のフェムト・ノードが展開されうる。特定のフェムト・ノード、あるいはフェムト・ノードのグループは、クローズド加入者グループ（ＣＳＧ）として知られている特定のユーザのグループへのアクセスを可能とする。あるいは、オープン・アクセス・ノードとして知られているその他のフェムト・ノードが、すべてのユーザに対してアクセスを区別無く許可する。さらに、ＣＳＧのメンバおよび非メンバの両方へのアクセスを提供するハイブリッド・フェムト・ノードも存在する。しかしながら、ハイブリッド・フェムト・ノードは、ＣＳＧのメンバと非メンバとを区別し、ＣＳＧメンバがサービスされていない時、非メンバへのシステム・アクセスを終了するか拒否するだろう。ある場合には、非ＣＳＧメンバとＣＳＧメンバとの区別は、利用可能なシステム・リソースを、利用されない状態にする。いくつかの事例においては、フェムト・ノードによって、利用可能なシステム・リソースの利用度を高めることが望ましい。
【発明の概要】
【０００５】
特許請求の範囲のスコープ内のシステム、方法、およびデバイスのさまざまな実施形態はおのおの、いくつかの態様を有しており、これらのどの１つも、本明細書に記載された好ましい属性の責任を負うものではない。特許請求の範囲のスコープを限定することなく、いくつかの顕著な特徴が、本明細書において記載される。この説明を考慮した後に、また、特に、「発明を実施するための形態」と題されたセクションを読んだ後に、さまざまな実施形態の特徴が、基地局および／またはフェムト・ノードにおいて、無線ネットワーク・リソースを管理するためにどのように使用されるかが理解されるであろう。
【０００６】
本開示の１つの態様は、無線アクセス・ポイントにおいて通信を管理する方法であって、以下を含む。無線アクセス・ポイントから提供されるシステム・リソースへのアクセスを求める要求を、第１のアクセス端末から受信すること。第１のアクセス端末が、グループのメンバであるか非メンバであるかを判定すること。第１のアクセス端末がメンバであるか非メンバであるかに基づいて、複数のサービス・レベルのうちの１つから、第１のアクセス端末のためのサービス・レベルを決定すること。ここで、メンバおよび非メンバのためのそれぞれのサービス・レベルは異なっている。１つの実施形態では、この方法はさらに、システム・リソースのうちの、グループに含まれる１または複数の別のアクセス端末に割り当てられたシステム・リソースの異なる部分よりもわずかな部分を、第１のアクセス端末へ割り当てることを含む。１つの実施形態では、この方法はまた、システム・リソースを示す値と、第１のアクセス端末および第２のアクセス端末のうちの少なくとも１つがグループのメンバであるかとに基づいて、無線アクセス・ポイントと第２のアクセス端末との間の通信のサービス品質（ＱｏＳ）を選択的に調節することを含む。ここで、メンバは、非メンバよりも、システム・リソースに対して優先アクセスを有する。
【０００７】
本開示の１つの態様は、以下を含む無線アクセス・ポイントである。無線アクセス・ポイントから提供されるシステム・リソースへのアクセスを求める要求を、第１のアクセス端末から受信するように構成された受信機。無線アクセス・ポイントと１または複数のアクセス端末との間に順方向チャネルを提供するように構成された送信機。ここで、順方向チャネルは、システム・リソースのうちの少なくとも一部を備える。コードを実行するように構成されたコントローラ。コントローラによって実行された場合、第１のアクセス端末が、グループのメンバであるか非メンバであるかを判定し、第１のアクセス端末がメンバであるか非メンバであるかに基づいて、第１のアクセス端末のために、複数のサービス・レベルのうちの１つから、サービス・レベルを決定するように構成されたコードを格納する非一時的コンピュータ読取可能媒体。ここで、メンバおよび非メンバのためのそれぞれのサービス・レベルは異なる。
【０００８】
１つの実施形態では、受信機はさらに、無線アクセス・ポイントと１または複数のアクセス端末との間の逆方向チャネル通信を可能にするように構成される。ここで、逆方向チャネルは、システム・リソースのうちの少なくとも一部を備える。
【０００９】
１つの実施形態では、コントローラによって実行された場合に、システム・リソースのうちの、グループに含まれる１または複数の別のアクセス端末に割り当てられたシステム・リソースの異なる部分よりもわずかな部分を、第１のアクセス端末へ割り当てるように構成されたコードをさらに格納している非一時的コンピュータ読取可能メモリ。１つの実施形態では、コントローラによって実行された場合、システム・リソースを示す値と、第１のアクセス端末および第２のアクセス端末のうちの少なくとも１つがグループのメンバであるかとに基づいて、無線アクセス・ポイントと第２のアクセス端末との間の通信のサービス品質（ＱｏＳ）を選択的に調節するように構成されたコードをさらに格納している非一時的コンピュータ読取可能メモリ。ここで、メンバは、非メンバよりも、システム・リソースに対して優先アクセスを有する。
【００１０】
本開示の１つの態様は、コンピューティング・デバイスによって実行された場合、第１のアクセス端末が、グループのメンバであるか非メンバであるかを判定し、第１のアクセス端末がメンバであるか非メンバであるかに基づいて、第１のアクセス端末のために、複数のサービス・レベルのうちの１つから、サービス・レベルを決定するように構成された、格納された機械実行可能な命令群を有する機械読取可能媒体である。ここで、メンバおよび非メンバのためのそれぞれのサービス・レベルは異なっている。
【００１１】
１つの実施形態では、機械読取可能媒体はさらに、コンピューティング・デバイスによって実行された場合、システム・リソースを示す値と、第１のアクセス端末および第２のアクセス端末のうちの少なくとも１つがグループのメンバであるかとに基づいて、無線アクセス・ポイントと第２のアクセス端末との間の通信のサービス品質（ＱｏＳ）を選択的に調節するように構成された、格納された機械実行可能な命令群を備える。ここで、メンバは、非メンバよりも、システム・リソースに対して優先アクセスを有する。
【００１２】
本開示の１つの態様は、以下を含む無線アクセス・ポイントである。無線アクセス・ポイントから提供されるシステム・リソースへのアクセスを求める要求を、第１のアクセス端末から受信する手段。無線アクセス・ポイントから提供されるシステム・リソースを示す少なくとも１つの値を決定する手段。コードを実行する手段によって実行された場合、第１のアクセス端末がメンバであるか非メンバであるかに基づいて、複数のサービス・レベルのうちの１つから、第１のアクセス端末へのサービス・レベルを決定するように構成されたコードを格納する手段。ここで、メンバおよび非メンバのためのそれぞれのサービス・レベルは異なっている。
【００１３】
１つの実施形態では、コードを格納する手段はさらに、システム・リソースを示す値と、第１のアクセス端末および第２のアクセス端末のうちの少なくとも１つがグループのメンバであるかとに基づいて、無線アクセス・ポイントと第２のアクセス端末との間の通信のサービス品質（ＱｏＳ）を選択的に調節するように構成されている。ここで、メンバは、非メンバよりも、システム・リソースに対して優先アクセスを有する。
【００１４】
１つの実施形態では、無線アクセス・ポイントはまた、無線アクセス・ポイントと１または複数のアクセス端末との間に順方向チャネルを提供する手段を含む。ここで、順方向チャネルは、システム・リソースのうちの少なくとも一部を備える。
【００１５】
１つの実施形態では、受信する手段はさらに、無線アクセス・ポイントと１または複数のアクセス端末との間の逆方向チャネル通信を可能にするように構成される。ここで、逆方向チャネルは、システム・リソースのうちの少なくとも一部を備える。
【図面の簡単な説明】
【００１６】
【図１】図１は、通信システムのいくつかのサンプル態様の簡略ブロック図である。
【図２】図２は、いくつかのサンプル・ネットワーク・ノード構成要素の簡略ブロック図である。
【図３】図３は、通信システムのいくつかのサンプル態様の簡略ブロック図である。
【図４】図４は、図３で例示されたシステムの構成要素間の簡略シグナリング図である。
【図５】図５は、無線リソースの管理を可能にする第１の方法を例示するフローチャートである。
【図６】図６は、無線リソースの管理を可能にする第２の方法を例示するフローチャートである。
【図７】図７は、無線リソースの管理を可能にする第３の方法を例示するフローチャートである。
【図８】図８は、無線リソースの管理を可能にする第４の方法を例示するフローチャートである。
【図９】図９は、無線通信システムの簡略ブロック図である。
【図１０】図１０は、フェムト・ノードを含む無線通信システムの簡略ブロック図である。
【図１１】図１１は、無線通信システムの有効通信範囲エリアを例示する簡略ブロック図である。
【図１２】図１２は、通信構成要素のいくつかのサンプル態様の簡略ブロック図である。
【図１３】図１３は、本明細書で教示されたプロビジョニングおよび／またはアクセス管理を提供するように構成された装置のいくつかのサンプル態様の簡略ブロック図である。
【図１４】図１４は、本明細書で教示されたプロビジョニングおよび／またはアクセス管理を提供するように構成された装置のいくつかのサンプル態様の簡略ブロック図である。
【図１５】図１５は、本明細書で教示されたプロビジョニングおよび／またはアクセス管理を提供するように構成された装置のいくつかのサンプル態様の簡略ブロック図である。
【図１６】図１６は、本明細書で教示されたプロビジョニングおよび／またはアクセス管理を提供するように構成された装置のいくつかのサンプル態様の簡略ブロック図である。
【図１７】図１７は、本明細書で教示されたプロビジョニングおよび／またはアクセス管理を提供するように構成された装置のいくつかのサンプル態様の簡略ブロック図である。
【図１８】図１８は、本明細書で教示されたプロビジョニングおよび／またはアクセス管理を提供するように構成された装置のいくつかのサンプル態様の簡略ブロック図である。
【図１９】図１９は、本明細書で教示されたプロビジョニングおよび／またはアクセス管理を提供するように構成された装置のいくつかのサンプル態様の簡略ブロック図である。
【図２０】図２０は、本明細書で教示されたプロビジョニングおよび／またはアクセス管理を提供するように構成された装置のいくつかのサンプル態様の簡略ブロック図である。
【図２１】図２１は、本明細書で教示されたプロビジョニングおよび／またはアクセス管理を提供するように構成された装置のいくつかのサンプル態様の簡略ブロック図である。
【図２２】図２２は、本明細書で教示されたプロビジョニングおよび／またはアクセス管理を提供するように構成された装置のいくつかのサンプル態様の簡略ブロック図である。
【図２３】図２３は、本明細書で教示されたプロビジョニングおよび／またはアクセス管理を提供するように構成された装置のいくつかのサンプル態様の簡略ブロック図である。
【００１７】
一般的な実施によれば、これら図面に例示されたさまざまな機能は、スケールするように描かれていないことがありうる。したがって、これらさまざまな機能のディメンションは、明瞭さのために任意に拡大または縮小されうる。さらに、これら図面のうちのいくつかは、所与のシステム、方法、またはデバイスからなる構成要素のすべてを図示している訳ではない。最後に、明細書および図面を通じて、同一符番は、同一機能を示すために使用されうる。
【発明を実施するための形態】
【００１８】
特許請求の範囲のスコープ内の実施形態のさまざまな態様が、以下に記載される。本明細書に記載された態様は、広範なさまざまな形態で具体化され、本明細書に記載されているあらゆる具体的な構成および／または機能は、単に例示的であることが明らかであるべきである。本開示に基づいて、当業者であれば、本明細書に記載された態様は、その他任意の態様と独立して実施され、これら態様のうちの複数は、さまざまな方式で組み合わされうることを認識すべきである。例えば、本明細書に記載された任意の数の態様を用いて装置が実施され、および／または、方法が実現されうる。さらに、本明細書に記載された態様のうちの１または複数に追加された、あるいは、本明細書に記載された態様のうちの１または複数とは異なる他の構成および／または機能を用いて、このような装置が実装され、および／または、このような方法が実現されうる。
【００１９】
さらに、「典型的である」という用語は「例、事例、あるいは実例として役立つ」ことを意味するために本明細書で使用される。本明細書で「典型的である」と記載されたあらゆる実施形態は、他の実施形態によりも好適であるとか有利であるとか解釈される必要は必ずしもない。本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含んでいる。ｃｄｍａ２０００は、ＩＳ−２０００規格、ＩＳ−９５規格、およびＩＳ−８５６規格をカバーする。ＴＤＭＡネットワークは、例えばグローバル・システム・フォー・モバイル通信（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭＡ等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。同様に、ｃｄｍａ２０００は、「第３世代パートナシップ計画２」（３ＧＰＰ２）と命名された組織からの文書に記載されている。これらさまざまなラジオ技術および規格は、当該技術分野において知られている。
【００２０】
シングル・キャリア周波数分割多元接続（ＳＣ−ＦＤＭＡ）は、シングル・キャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、その固有の単一キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において特に、大きな注目を集めた。それは現在、３ＧＰＰロング・ターム・イボリューション（ＬＴＥ）またはイボルブドＵＴＲＡにおけるアップリンク多元接続スキームのための動作前提である。
【００２１】
いくつかの態様では、本明細書に記載された教示は、マクロ・スケールの有効通信範囲（例えば、一般にマクロ・セル・ネットワークと称される３Ｇネットワークのような大規模エリアのセルラ・ネットワーク）およびより小規模な有効通信範囲（例えば、住宅ベースまたはビルディング・ベースのネットワーク環境）を含むネットワーク内に適用されうる。アクセス端末（ＡＴ）またはユーザ機器（ＵＥ）がこのようなネットワークを通って移動すると、アクセス端末は、マクロ有効通信範囲を提供するアクセス・ノード（ＡＮ）によって、ある位置においてサービス提供される一方、アクセス端末は、小規模スケールの有効通信範囲を提供するアクセス・ノードによって、その他の位置においてサービス提供されうる。いくつかの態様では、増大する容量成長、ビルディング内有効通信範囲、および（例えば、よりロバストなユーザ経験のための）その他のサービスを提供するために、小規模な有効通信範囲ノードが使用されうる。本明細書における説明では、比較的大きなエリアにわたって有効通信範囲を提供するノードは、マクロ・ノードと称されうる。（例えば、住宅のように）比較的小さなエリアにわたって有効通信範囲を提供するノードは、フェムト・ノードと称されうる。マクロ・エリアよりも小さく、フェムト・エリアよりも大きなエリアにわたって有効通信範囲を提供するノードは、（例えば、商業ビルディング内に有効通信範囲を提供する）ピコ・ノードと称されうる。
【００２２】
マクロ・ノード、フェムト・ノードあるいはピコ・ノードに関連付けられたセルは、マクロ・セル、フェムト・セル、あるいはピコ・セルとそれぞれ称される。いくつかの実施では、おのおののセルがさらに、１または複数のセクタに関連付けられうる（分割されうる）。
【００２３】
さまざまなアプリケーションでは、マクロ・ノード、フェムト・ノード、あるいはピコ・ノードを称するためにその他の用語が使用されうる。例えば、マクロ・ノードは、アクセス・ノード、基地局、アクセス・ポイント、ｅノードＢ、マクロ・セル等として構成されうるか、または、称されうる。さらに、フェムト・ノードは、ホーム・ノードＢ（ＨＮＢ）、ホームｅノードＢ（ＨｅＮＢ）、アクセス・ポイント基地局、フェムト・セル等として構成されうるか、称されうる。
【００２４】
図１は、（例えば、通信ネットワークの一部である）通信システム１００のいくつかのサンプル態様の簡略ブロック図である。例示のみの目的のために、これら実施形態のうちのさまざまな態様が、１または複数のネットワーク・ノード、アクセス・ポイント、および、互いに通信するアクセス端末のコンテキストで説明されるだろう。しかしながら、本明細書における記載は、その他の専門用語を用いて参照されるその他のタイプの装置またはその他の類似の装置に適用可能でありうることが認識されるべきである。
【００２５】
システム１００は、アクセス・ポイント１０２、１０４、アクセス端末１０６、１０８、およびネットワーク・ノード１１０を含んでいる。このシステム１００におけるアクセス・ポイント１０２、１０４は、関連付けられた地理的エリア内に搭載されうるか、あるいは、関連付けられた地理的エリアにわたってローミングしうる１または複数の無線端末のために１または複数のサービス（例えば、ネットワーク接続）を提供する。アクセス端末１０６およびアクセス端末１０８のみが図１に例示されているが、当業者であれば、ユーザ機器を考慮した任意の数のアクセス端末またはデバイスが、アクセス・ポイント１０２、１０４と通信している。さらに、アクセス・ポイント１０２、１０４は、広域ネットワーク１２０（例えば、インターネット）による広域ネットワーク接続を容易にするために、１または複数のネットワーク・ノード１１０と通信しうる。このようなネットワーク・ノードは、さまざまな形式をとりうる。例えば、ネットワーク・ノードは、モビリティ・マネジャまたはその他いくつかの適切なネットワーク・エンティティ（例えば、コア・ネットワーク・エンティティ）を備えうる。
【００２６】
アクセス・ポイント１０２、１０４は、いくつかの態様において制限されており、これによって、おのおのが、あるサービスを、（例えば、図示しないマクロ・アクセス端末のような）他のアクセス端末ではなく、（例えば、アクセス端末１０６、１０８のような）あるアクセス端末へ提供できるようになる。例えば、アクセス・ポイント１０２、１０４は、登録、シグナリング、音声コール、データ・アクセス、または、その他任意のセルラ・サービスのうちの少なくとも１つを他のアクセス端末へ提供しないように制限されうる。クローズド、オープン、およびハイブリッドのアクセス・ポイントが、無線ネットワーク全体にわたってアド・ホック方式で展開されうる。例えば、ある住宅所有者は、家族メンバのみに対して、アクセス・ポイントを介してシステム・リソースにアクセスすることを許可し、部外者および隣人を排除できるように、制限されたアクセス・ポイントを搭載および設定しうる。あるいは、公共図書館は、館内のシステム・リソースへの自由なアクセスを与えるために、オープンなアクセス・ポイントを搭載し、設定しうる。あるいは、喫茶店所有者が、喫茶店から注文をしない人よりも、注文する人に対して、システム・リソースへの優先アクセスを提供する等のために、ハイブリッド・アクセス・ポイントを搭載および設定しうる。
【００２７】
広域ネットワーク１２０は、例えば、以下のネットワークを含む任意のタイプの電気的に接続されたコンピュータおよび／またはデバイスのグループを含みうる。インターネット、イントラネット、ローカル・エリア・ネットワーク（ＬＡＮ）、または広域ネットワーク（ＷＡＮ）。さらに、ネットワークへの接続は、例えば、遠隔モデム、イーサネット（登録商標）（ＩＥＥＥ  ８０２．３）、トークン・リング（ＩＥＥＥ  ８０２．５）、ファイバ・ディストリビューティド・データリンク・インタフェース（ＦＤＤＩ）非同期転送モード（ＡＴＭ）、無線イーサネット（ＩＥＥＥ  ８０２．１１）、またはブルートゥース（登録商標）（ＩＥＥＥ  ８０２．１５．１）でありうる。コンピューティング・デバイスは、デスクトップ、サーバ、ポータブル、ハンド・ヘルド、セット・トップ、またはその他の所望のタイプの構成でありうる。本明細書で使用されるように、広域ネットワーク１２０は、例えば、公衆インターネット、インターネット内のプライベート・ネットワーク、インターネット内のセキュア・ネットワーク、プライベート・ネットワーク、公衆ネットワーク、付加価値ネットワーク、イントラネット等のようなネットワーク・バリエーションを含む。ある実施形態では、広域ネットワーク１２０はさらに仮想プライベート・ネットワーク（ＶＰＮ）を含みうる。
【００２８】
図２は、ネットワーク・ノード１１０（例えば、モビリティ・マネジャ、モバイル交換センタ、または、サービス提供ＧＰＲＳサポート・ノード）、アクセス・ポイント１０２、およびアクセス端末１０６に組み込まれうるいくつかのサンプル構成要素を示す、簡略ブロック図である。当業者であれば、本開示から、これらノードのうちの所与の１つのために例示された構成要素が、通信システム内の他のノードにも組み込まれうることを認識するであろう。例えば、アクセス端末１０８は、アクセス端末１０６について記載されたものに類似した構成要素を含み、アクセス・ポイント１０４は、アクセス・ポイント１０２について記載されたものに類似した構成要素を含みうる。
【００２９】
ネットワーク・ノード１１０、アクセス・ポイント１０２、およびアクセス端末１０６は、互いに、およびその他のノードと通信するために、トランシーバ２０２、２０４、２０６をそれぞれ含んでいる。トランシーバ２０２は、（例えば、メッセージのような）信号を送信する送信機２０８と、信号を受信する受信機２１０とを含む。トランシーバ２０４は、信号を送信する送信機２１２と、信号を受信する受信機２１４とを含む。トランシーバ２０６は、信号を送信する送信機２１６と、信号を受信する受信機２１８とを含む。
【００３０】
ネットワーク・ノード１１０、アクセス・ポイント１０２、およびアクセス端末１０６はまた、本明細書で教示されたように、ノードのプロビジョニングおよびアクセス管理と連携して使用されうるその他のさまざまな構成要素をも含む。例えば、ネットワーク・ノード１１０、アクセス・ポイント１０２、およびアクセス端末１０６は、本明細書で教示されたように、他のノードとの通信の管理（例えば、メッセージ／インジケーションの送信および受信）およびその他関連する機能の提供のために、通信コントローラ２２０、２２２、２２４をそれぞれ含みうる。ネットワーク・ノード１１０、アクセス・ポイント１０２、およびアクセス端末１０６は、本明細書で教示されたように、ノードへのプロビジョニング、およびその他関連する機能の提供のために、プロビジョニング・コントローラ２２６、２２８、２３０をそれぞれ含みうる。ネットワーク・ノード１１０、アクセス・ポイント１０２、およびアクセス端末１０６は、本明細書で教示されたように、アクセス管理の提供、およびその他関連する機能の提供のために、アクセス・コントローラ２３２、２３４、２３６をそれぞれ含みうる。例示の目的のために、ノードのすべては、図２において、プロビジョニングおよびアクセス制御に関連する機能を有するものとして図示されている。しかしながら、いくつかの実施では、これらの構成要素のうちの１または複数は、所与のノードにおいて適用されないことがありうる。以下の説明は、ネットワーク・ノードへのプロビジョニングおよびアクセス制御の提供のためのいくつか異なるスキームを（例えば、異なる図面を用いて）示す。便宜上、これらの異なるスキームでは、ネットワーク・ノード１１０、アクセス・ポイント１０２、およびアクセス端末１０６は、異なる機能を有するものとして示され、異なるタイプのノードの代表であるものして示されうる（例えば、異なる実施では、ネットワーク・ノード１１０は、ＳＲＮＣ、ＭＭＥ、またはＡＡＡ等を示しうる）。しかしながら、所与の実施では、ネットワーク・ノード１１０、アクセス・ポイント１０２、およびアクセス端末１０６は、特定の方式で構成されうることが認識されるべきである。
【００３１】
システムにおけるおのおののアクセス端末（例えば、アクセス端末１０６）は、１または複数のアクセス・ポイント（例えば、アクセス・ポイント１０２）との通信を可能にするようにプロビジョンされうる。図２の例では、これらの動作は、例えば、プロビジョニング・コントローラ２２６、２３０の動作によって実行されうる。
【００３２】
いくつかの態様では、オペレータが、アクセス端末１０６に、ユニークな識別子を割り当てうる。いくつかの実施では、この識別子は、ネットワーク・アクセス識別子（ＮＡＩ）または移動局統合サービス・デジタル・ネットワーク（ＭＳ  ＩＳＤＮ）番号を備える。あるいは、国際モバイル加入者アイデンティティ（ＩＭＳＩ）のような加入者アイデンティティもまた、例えば、アクセス端末内に存在するＳＩＭ、ＵＳＩＭ、またはＶＳＩＭのような加入者アイデンティティ・モジュールから導出されうる。ある場合には、この識別子が、（例えば、セルラ・オペレータによって提供されるネットワーク全体のような）オペレータ領域内でユニークであることが保証される。いくつかの実施では、このような識別子は、アクセス端末１０６のためのセッション情報の一部でありうる。例えば、アクセス端末１０６がセッションを生成した場合、この識別子は、アクセス端末１０６によって、ネットワーク・ノード１１０（例えば、セッション基準ネットワーク・コントローラ、ＳＲＮＣ）に送られうる。あるいは、セッションが生成されると、この識別子は、認証、認可、および課金（ＡＡＡ）エンティティから、ネットワーク・ノード１１０へプッシュされうる。いくつかの実施では、この識別子は、ユーザが、例えば、１または複数のアクセス端末にサービスを提供するために自分の制限されたアクセス・ポイント（単数または複数）を設定できるように、ユーザにアクセス可能である。いくつかの実施では、アクセス端末は、テンポラリな識別子を割り当てられうる。例えば、ネットワークは、アクセス端末１０６のためにパーマネントな識別子およびテンポラリな識別子を割り当て、これら識別子を、ネットワーク内で維持しうる。さらに、アクセス端末１０６が、アクセス・ポイントにアクセスした場合、この識別子を使用できるように、ネットワークは、アクセス端末１０６へ、テンポラリな識別子を送信しうる。
【００３３】
アクセス端末１０６はまた、アクセス端末１０６がアクセスすることを許可されるアクセス・ポイント（例えば、アクセス・ポイント１０２）おのおののアイデンティティをプロビジョンされうる。以下により詳細に説明するように、これは、例えば、アクセス・ポイント識別子をアクセス端末１０６へ送信すること（例えば、プッシュ・モデル）、および／または、アクセス端末１０６がアクセス端末１０６によってアクセスされるべきアクセス・ポイントを選択できるようにすること（例えば、プル・モデル）を含みうる。アクセス端末１０６は、さまざまな無線有効通信範囲エリアを移動すると参照しうる、許可されたアクセス・ポイントのリスト（例えば、ホワイト・リスト、または、好適なユーザ・ゾーン・リスト）を保持しうる。
【００３４】
いくつかの実施では、アクセス端末１０６のユーザは、自分がこのアクセス端末１０６をアクセス・ポイントへアクセスできるようにすることを望んでいるのかを判定するように促されうる。いくつかの実施では、アクセス端末１０６は、アクセス・ポイントへのアクセスを自動的に可能にしうる。いくつかの実施では、アクセス端末１０６は、アクセス端末１０６における設定情報に基づいて、アクセスを自動的に可能にするのか、または、アクセスを可能にするためにユーザ・プロンプトが必要なのかを判定しうる。いくつかの実施では、ユーザは、１または複数のアクセス端末にアクセスすることを選択するか、または、アクセスしないことを選択しうる。この場合、許可および／または拒否されたアクセス端末（単数または複数）のリストが、アクセス端末１０６において維持されうる。このように、アクセス端末１０６は、リスト上のアクセス・ポイントへのアクセスを試みることを回避（例えば、自動的に回避）しうる。
【００３５】
システムにおけるおのおのの制限されたアクセス・ポイント（例えば、アクセス・ポイント１０２）は、１または複数のアクセス端末（例えば、アクセス端末１０６）との通信を可能にするようにプロビジョンされうる。図２の例では、これらの動作は、例えば、プロビジョニング・コントローラ２２６、２２８の動作によって実行されうる。
【００３６】
例えば、ユニークな識別子が、アクセス・ポイント１０２へ、または、アクセス・ポイント（例えば、アクセス・ポイント１０２、１０４）のセットに割り当てられうる。このユニークな識別子は、システム内の個々のアクセス端末を識別するために割り当てられ得るユニークなデバイス識別子とは異なる。以下により詳細に説明するように、このような識別子は、例えば、制限された同じ関連特性を持つアクセス端末のグループ（例えば、ＣＳＧ）へ割り当てられた識別子、サブネット識別子、または、特別なタイプのネットワーク識別子（ＮＩＤ）を備えうる。ある場合には、このネットワークは、ユニークな識別子を自立的に割り当てうる。ある場合には、１または複数のアクセス・ポイントが、（例えば、提案された識別子を判定し、これをネットワークへ送信することによって）識別子を要求しうる。これらの場合では、ネットワークは、要求された識別子が、１または複数の他のアクセス・ポイントによって既に使用されているかを判定しうる。要求された識別子が既に使用されている場合、ネットワークは、他の何れのアクセス・ポイントにも使用されていない別の識別子（例えば、類似の識別子）を選択し、この識別子を、要求元のアクセス・ポイント（単数または複数）へ送信する。
【００３７】
アクセス・ポイント１０２はまた、アクセス・ポイント１０２へアクセスすることが許可されたおのおののアクセス端末（例えば、アクセス端末１０６）に関連付けられた１または複数の識別子をプロビジョンされうる。以下により詳細に説明するように、これは、例えば、ネットワークによって管理されたデータベース内にアクセス端末識別子を格納すること、および／または、アクセス・ポイント１０２においてローカル・アクセス・リスト内にアクセス端末識別子を格納することを含みうる。
【００３８】
いくつかの実施では、所与の制限されたアクセス・ポイントのアクセス制御リストが、制限されたアクセス・ポイントにおいて管理されうる。例えば、ユーザは、アクセス端末（例えば、セル電話）を用いて、または、制限されたアクセス・ポイントにおいてホストされたパスワード保護されたウェブ・ページを用いて、自分のアクセス・ポイントを設定しうる。
【００３９】
あるいは、いくつかの実施では、ネットワーク内の制限された各アクセス・ポイントのアクセス制御リストが、ネットワーク（例えば、コア・ネットワーク）において管理される。例えば、アクセス制御リストは、ネットワーク・オペレータによってホストされたウェブ・ページにおいて管理されうる。ネットワークにおいてアクセス制御リストを管理することは、いくつかのコンテキストにおいて、１または複数の利点を提供しうる。いくつかの態様では、このアプローチは、ポリシーにおいて、より多くの柔軟性を可能としうる。例えば、もし望まれれば、オペレータは、制限されたアクセス・ポイントへのアクセスを制限し、オペレータは、（例えば、アクセス端末について）同じ料金プランにおける記録をチェックしうる。さらに、ネットワークは、個々のアクセス・ポイントよりも信頼性が高くなりうる。したがって、アクセス制御リストの信頼度が高められうる。さらに、アクセス制御リストは、制限されたアクセス・ポイントへ送られない場合があるので、制限されたアクセス・ポイント（例えば、アプリケーション・ソフトウェア、ＵＳＢポート等）へのダイレクトなインタフェースを提供する必要はない場合がある。集中アクセス制御リストを使用することにより、共通の企業に属する複数の制限されたアクセス・ポイントを管理することがより簡単になりうる。
【００４０】
制限されたアクセス・ポイントは、プロビジョンされると、割り当てられた識別子を、エアによって通知しうる。例えば、アクセス・ポイント１０２は、自己の識別子をセクタ・パラメータの一部として、あるいは、その他いくつかの適切な方式でブロードキャストしうる。さらに、アクセス端末は、プロビジョンされると、近くのアクセス・ポイントによってブロードキャストされた信号（例えば、パイロット／ビーコン信号）をモニタしうる。以下により詳細に説明するように、（例えば、アクセス端末１０６が、アクセス・ポイント１０２にアクセスすることを許可されたシナリオにおいて）、アクセス端末１０６が、アクセス・ポイント１０２からの信号を識別した場合、アクセス端末１０６は、このアクセス・ポイント１０２へのアクセスを要求しうる。アクセス端末１０６によってアクセス可能なアクセス・ポイントを識別することは、例えば、アクセス・ポイント１０２に関連付けられた識別子を、アクセス端末１０６によって維持された許可されたアクセス・ポイントの信頼されたリスト３３８（例えば、ホワイトリスト）と比較することを含みうる。図２の例では、これらの動作、および、その他のアクセス関連動作は、例えば、アクセス・コントローラ２３６の動作によって実行されうる。
【００４１】
アクセス・ポイント１０２および／または１または複数のネットワーク・ノード（例えば、ネットワーク・ノード１１０）は、アクセス端末１０６がアクセス・ポイント１０２にアクセスすることを許可すべきかを判定しうる。このアクセス制御動作は、例えば、アクセス端末１０６のアイデンティティを確認することと、アクセス端末１０６の識別子を、アクセス・ポイント１０２によって維持された許可されたアクセス端末のリスト（例えば、ローカル・アクセス・リスト２４０）、および／または、ネットワーク・ノード１１０によって維持された、許可されたアクセス端末のリスト（例えば、ネットワーク・データベース・アクセス・リスト２４２）と比較することとを含みうる。図２の例では、これらの動作、および、その他のアクセス関連動作は、例えば、アクセス・コントローラ２３４および／またはアクセス・コントローラ２３２の動作によって実行されうる。
【００４２】
上記概要を考慮して、プロビジョニングおよびアクセス制御に関連するさらなる詳細が、図３乃至図８に関連して記載される。本明細書における教示に基づいて、これら図面のうちの所与の１つと連携して記載される動作のうちの１または複数は、これら図面のうちの別の１つで記載された動作と連携して適応されうることが認識されるべきである。便宜上、これらの動作は、図３の構成要素を参照して記載されるだろう。これらの動作はまた、ネットワーク内の他のノードにも適用可能でありうることが認識されるべきである。
【００４３】
図３は、ロング・ターム・イボリューション（ＬＴＥ）またはその他の類似の技術を用いる通信システム３００のいくつかのサンプル態様の簡略ブロック図である。このシステム３００は、ホーム加入者サーバ（ＨＳＳ）１５０、イボルブド・パケット・コア１３０、第１および第２のフェムト・ノード（ＨｅＮＢ）１２１、１２３、５つのユニットのユーザ機器（ＵＥ）１０１、１０３、１０５、１０７、１０９を含んでいる。
【００４４】
当業者であれば、ＬＴＥシステムのイボルブド・パケット・コアは、図３に例示された簡略イボルブド・パケット・コア１３０よりもより複雑であることをも認識するであろう。イボルブド・パケット・コア１３０は、単に、特許請求の範囲のスコープ内のいくつかの実施形態のうちの顕著ないくつかの機能を記載するために役立つ構成要素を含んでいる。したがって、図３に例示するように、イボルブド・パケット・コア１３０は、モビリティ管理エンティティ（ＭＭＥ）１３１、ポリシーおよび課金実施機能（ＰＣＥＦ）モジュール１３３、および、ポリシーおよび課金ルール機能（ＰＣＲＦ）モジュール１３５を含む。
【００４５】
ＨＳＳ１５０は、広域ネットワーク１２０（例えば、インターネットおよび／またはプライベート・ネットワーク）と通信している。ＨＳＳ１５０はさらに、ＭＭＥ１３１と通信している。イボルブド・パケット・コア１３０内では、ＭＭＥが、少なくともＰＣＥＦ１３３と通信しており、ＰＣＲＦ１３５が、ＰＣＥＦ１３３と通信している。
【００４６】
図３では、２つのフェムト・ノード１２２、１２３しか図示されていないが、当業者であれば、ＬＴＥシステムは、任意の数のフェムト・ノードを含みうることを認識するだろう。同様に、図３では、５つのＵＥ１０１、１０３、１０５、１０７、１０９しか例示されていないが、当業者であれば、ＬＴＥシステムが、任意の数のアクセス端末、モバイル・デバイス、ＵＥ等を含みうることを認識するだろう。
【００４７】
単に実例となる例として、動作中、ＵＥ１０１およびＵＥ１０３は、ＨｅＮＢ１２１と通信リンク１１１、１１３をそれぞれ確立する。同様に、ＵＥ１０５、１０７、１０９は、ＨｅＮＢ１２３と通信リンク１１５、１１７、１１９をそれぞれ確立する。通信リンク１１１、１１３、１１５、１１７、１１９はおのおのの、それぞれのサービス品質（ＱｏＳ）ＱｏＳ１、ＱｏＳ２、ＱｏＳ３、ＱｏＳ５、ＱｏＳ７、ＱｏＳ９を有する。通常、通信リンクのサービス品質は、限定される訳ではないが、許容可能なビット誤り率、許容可能なシンボル誤り率、許容可能なパケット誤り率、データ送信レート、シンボル送信レート、パケット送信レート、保証ビット・レート、許容可能な信号対雑音、割当および保持優先度（ＡＲＰ）等を含むさまざまな基準にしたがって定義されうる。
【００４８】
慣例的に、ＵＥ１０１、１０３、１０５、１０７、１０９おのおのの初期ＱｏＳパラメータ値ＱｏＳ１、ＱｏＳ２、ＱｏＳ３、ＱｏＳ５、ＱｏＳ７、ＱｏＳ９は、加入データに基づいて、ネットワークによって設定される。Ｅ−ＵＴＲＡＮの場合、ＭＭＥ１３１は、ＨＳＳ１５０のために提供された加入データに基づいて、ＱｏＳ１、ＱｏＳ２、ＱｏＳ３、ＱｏＳ５、ＱｏＳ７、ＱｏＳ９の値を設定する。言い換えれば、ＨＳＳは、１または複数のクローズド加入者グループ（ＣＳＧ）に関する情報をＭＭＥ１３１に提供する。何れのＣＳＧにも関連付けられていないＵＥは、一般に、非メンバと考えられる。
【００４９】
ＰＣＥＦ１３３は、ＰＣＲＦ１３５とのインタラクション、または、フェムト・ノードのローカル設定に基づいて、ＱｏＳ１、ＱｏＳ２、ＱｏＳ３、ＱｏＳ５、ＱｏＳ７、ＱｏＳ９の値を変更しうる。従来のシステムでは、ＭＭＥ１３１は、値ＱｏＳ１、ＱｏＳ２、ＱｏＳ３、ＱｏＳ５、ＱｏＳ７、ＱｏＳ９を修正することができない。したがって、従来のシステムでは、ＣＳＧメンバおよび非メンバへのアクセスを許可するがＣＳＧメンバへ優先アクセスを与えるハイブリッド・ノードにおいて、非メンバによって確立された通信リンクは、ＣＳＧメンバのための場所を空けるために終了する。いくつかの事例では、この結果、利用可能な容量が不足する。
【００５０】
例えば、ＵＥ１０７がＣＳＧメンバであり、ＵＥ１０９が非メンバである場合を考慮されたい。特定のサービス・レベルＱｏＳ９をＵＥ１０９へ提供している間に、ＵＥ１０７のためにＱｏＳ７が提供されない場合、ＵＥ１０７のためのＱｏＳ７を改善するために、通信リンク１１９が終了するだろう。しかしながら、無線ネットワーク・リソースを管理するために、いくつかの事例では、ＵＥ１０９へ提供されたキャパシティが残っているが、従来スキームにはない。
【００５１】
対照的に、本開示は、ＣＳＧ加入データとシステム・リソースを示す値の両方に基づいて、アクセス・ポイント（例えば、ＨｅＮＢ１２３）とＵＥ（例えば、ＵＥ１０９）との間の通信のサービス品質ＱｏＳを選択的に調節し、これによって、メンバがシステム・リソースに対して非メンバよりも優先アクセスを有することができるようにするシステム、方法、およびデバイスを開示する。本明細書に記載されたシステム、方法、およびデバイスによって、ハイブリッド・モードで動作しているアクセス・ポイントは、ＣＳＧメンバに特定のＱｏＳレベルを提供するために、通信リンクを終了させる必要なく、ＣＳＧメンバと非メンバとを区別できるようになる。いくつかの実施形態では、未使用で利用可能な容量を利用するために、非メンバは、低いＱｏＳレベルを持つ新たな通信リンクを維持または確立し、これによって、ハイブリッド・モードで動作するフェムト・ノードで利用可能なシステム・リソースの利用度を増加させる。
【００５２】
図４は、図３で例示されたシステム３００の構成要素間の、一般に４００で示される簡略シグナリング図である。４０１によって示されるように、ＨｅＮＢ１２１は、自身の動作状態をＭＭＥ１３１へレポートする。４０３によって示されるように、ＭＭＥ１３１は、同じものをＨＳＳ１５０へ中継する。ＨｅＮＢ１２１が、オープン・アクセス・モードで動作していないと考慮すると、ＨＳＳ１５０は、４０５によって示されるように、ＭＭＥ１３１へ加入データを提供する。ＭＭＥ１３１は、４０７によって示されるように、さまざまなＣＳＧメンバおよび非メンバの初期ＱｏＳレベルを設定する。その結果として、４０９によって示されるように、ＭＭＥ１３１は、ＱｏＳレベルをＨｅＮＢ１２１へ提供する。ＨｅＮＢ１２１がＱｏＳレベルを受信すると、ＨｅＮＢ１２１は、４１１によって示されるように、１または複数のＵＥとのパケット交換通信を管理する。
【００５３】
図５は、フェムト・ノード（例えば、ＨｅＮＢ１２１）における無線リソースの管理を可能にする第１の方法を例示するフローチャートである。第１の方法は、一般に、新たなＣＳＧメンバが、フェムト・ノードへ以前に確立された通信リンク無しで、保証ビット・レート（ＧＢＲ）でアクセスを要求する状況に適用可能である。ブロック５−１によって示されうるように、この方法は、ＧＢＲでアクセスを新たなＣＳＧメンバに提供するために利用可能な十分な容量があるか否かを判定することを含む。５−２によって示されるように、十分な容量がある場合（５−１からのｙｅｓパス）、この方法は、新たなＣＳＧメンバのために、ＧＢＲで通信リンクを開始することを含む。
【００５４】
一方、５−３によって示されるように、十分な容量が無い場合（５−１からのｎｏパス）、この方法は、それぞれのＧＢＲを持たない通信リンクを持つ非メンバ（すなわち、調節可能なＱｏＳレベルを持つ非メンバ）であるか否かを判定することを含む。５−４によって示されるように、調節可能なＱｏＳレベルを持つ非メンバが存在する場合（５−３からのｙｅｓパス）、この方法は、１または複数のこのような非メンバのＱｏＳレベルを下げることを含み、この方法は、再び５−２によって示されるように、新たなＣＳＧメンバのためのＧＢＲで通信リンクを開始することを含む。
【００５５】
一方、５−５によって示されるように、調節可能なＱｏＳレベルを持つ非メンバが存在しない場合（５−３からのｎｏパス）、この方法は、非メンバが、それぞれＧＢＲを持つ通信リンクを持っているか否かを判定することを含む。５−６によって示されるように、このような非メンバが存在する場合（５−５からのｙｅｓパス）、この方法は、このような少なくとも１つの非メンバの通信リンクを終了させることを含む。この方法は、再び５−２によって示されるように、新たなＣＳＧメンバのためのＧＢＲで通信リンクを開始することを含む。
【００５６】
一方、５−７に示すように、終了されうる非メンバが存在しない場合（５−５からのｎｏパス）、この方法は、通信リンクを持つ非ＧＢＲ  ＣＳＧメンバ（すなわち、それぞれのＧＢＲを持たないＣＳＧメンバ）よりも先行するＧＢＲランクを持つＣＳＧメンバが存在するか否かを判定することを含む。５−８によって示されるように、このようなＣＳＧメンバが存在する場合（５−７からのｙｅｓパス）、この方法は、（５−１１によって示されるように）可能な場合、１または複数のこのようなＣＳＧメンバのＱｏＳレベルを下げることを含み、この方法は、再び５−２によって示されるように、新たなＣＳＧメンバのためのＧＢＲで通信リンクを開始することを含む。（５−７および５−１１によって示されるように）ＣＳＧメンバのＱｏＳレベルを下げることができない場合、この方法は、５−９によって示されるように、新たなＣＳＧメンバ・アクセスを拒否することを含む。
【００５７】
図６は、フェムト・ノード（例えば、ＨｅＮＢ１２１）における無線リソースの管理を可能にする第２の方法を例示するフローチャートである。第２の方法は、一般に、新たなＣＳＧメンバが、フェムト・ノードへの以前に確立された通信リンク無しで、保証ビット・レート（ＧＢＲ）の無いアクセスを要求する状況に適用可能である。ブロック６−１によって示されるように、この方法は、ＧＢＲでのアクセス無しで新たなＣＳＧメンバを提供するために、利用可能な十分な容量があるか否かを判定することを含む。十分な容量がある場合（６−１からのｙｅｓパス）、この方法は、６−２によって示されるように、新たなＣＳＧメンバのためのＧＢＲ無しで通信リンクを開始することを含む。
【００５８】
一方、６−３によって示されるように、十分な容量が無い場合（６０１からのｎｏパス）、この方法は、それぞれのＧＢＲを持たない通信リンクを持つ非メンバ（すなわち、調節可能なＱｏＳレベルを持つ非メンバ）であるか否かを判定することを含む。６−４によって示されるように、このような非メンバが存在する場合（６−３からのｙｅｓ）、この方法は、１または複数のこのような非メンバのＱｏＳレベルを下げることを含み、この方法は、再び６−２によって示されるように、新たなＣＳＧメンバのためのＧＢＲ無しで通信リンクを開始することを含む。
【００５９】
一方、６−５によって示されるように、調節可能なＱｏＳレベルを持つ非メンバが存在しない場合（６−３からのｎｏパス）、この方法は、非メンバが、それぞれＧＢＲを持つ通信リンクを持っているか否かを判定することを含む。６−６によって示されるように、このような非メンバが存在する場合（６−５からのｙｅｓパス）、この方法は、少なくとも１つのこのような非メンバの通信リンクの終了させることを含み、この方法は、再び６−２によって示されるように、新たなＣＳＧメンバのためのＧＢＲ無しで通信リンクを開始することを含む。
【００６０】
一方、６−７に示すように、非メンバが存在しない場合（６−５からのｎｏパス）、この方法は、新たなＣＳＧメンバ・アクセスを拒否することを含む。
【００６１】
図７は、フェムト・ノード（例えば、ＨｅＮＢ１２１）における無線リソースの管理を可能にする第３の方法を例示するフローチャートである。第３の方法は、一般に、新たな非メンバが、フェムト・ノードへの以前に確立された通信リンク無しで、保証ビット・レート（ＧＢＲ）でアクセスを要求する状況に適用可能である。ブロック７−１によって示されるように、この方法は、ＧＢＲで新たな非メンバにアクセスを提供するために、利用可能な十分な容量があるか否かを判定することを含む。７−２によって示されるように、十分な容量がある場合（７−１からのｙｅｓパス）、この方法は、新たなＣＳＧメンバのためのＧＢＲで通信リンクを開始することを含む。
【００６２】
一方、７−３によって示されるように、十分な容量が無い場合（７−１からのｎｏパス）、この方法は、それぞれのＧＢＲを持たない通信リンクを持つ非メンバ（すなわち、調節可能なＱｏＳレベルを持つ非メンバ）であるか否かを判定することを含む。７−４によって示されるように、このような非メンバが存在する場合（７−３からのｙｅｓパス）、この方法は、１または複数のこのような非メンバのＱｏＳレベルを下げることを含み、この方法は、再び７−２によって示されるように、新たなＣＳＧメンバのためのＧＢＲで通信リンクを開始することを含む。
【００６３】
一方、非メンバが存在しない場合（７−３からのｎｏパス）、７−５に示すように、この方法は、新たな非メンバ・アクセスを拒否することを含む。
【００６４】
図８は、フェムト・ノード（例えば、ＨｅＮＢ１２１）における無線リソースの管理を可能にする第４の方法を例示するフローチャートである。第４の方法は、一般に、新たな非メンバが、フェムト・ノードへの以前に確立された通信リンク無しで、保証ビット・レート（ＧＢＲ）の無いアクセスを要求する状況に適用可能である。ブロック８−１によって示されたように、この方法は、ＧＢＲにおいて新たなメンバにアクセスを提供するために、利用可能な十分な容量があるか否かを判定することを含む。８−２によって示されるように、十分な容量がある場合（８−１からのｙｅｓパス）、この方法は、新たなＣＳＧメンバのためのＧＢＲ無しで通信リンクを開始することを含む。
【００６５】
一方、８−３によって示されるように、十分な容量がない場合（８−１からのｎｏパス）、この方法は、それぞれのＧＢＲを持たない通信リンクを持つ非メンバ（すなわち、調節可能なＱｏＳレベルを持つ非メンバ）であるか否かを判定することを含む。８−４によって示されるように、このような非メンバが存在する場合（８−３からのｙｅｓパス）、この方法は、１または複数のこのような非メンバのＱｏＳレベルを下げることを含み、この方法は、再び８−２によって示されるように、新たなＣＳＧメンバのためのＧＢＲ無しで通信リンクを開始することを含む。
【００６６】
一方、８−５に示すように、非メンバが存在しない場合（８−３からのｎｏパス）、この方法は、新たな非アクセスを拒否することを含む。
【００６７】
図９は、多くのユーザをサポートするように構成され、本明細書に記載された教示が実施される無線通信システム９００を例示する。このシステム９００は、例えばマクロ・セル９０２Ａ−９０２Ｇのような複数のセル９０２のための通信を提供する。ここで、各セルは、対応するアクセス・ポイント９０４（例えば、アクセス・ポイント９０４Ａ−９０４Ｇ）によってサービス提供される。アクセス端末９０６（例えば、アクセス端末９０６Ａ−９０６Ｌ）は、時間にわたって、システム中のさまざまな位置に分布しうる。アクセス端末９０６はおのおのの、例えば、アクセス端末９０６がアクティブであるか、および、ソフト・ハンドオフにあるかに依存して、所与の時間において、順方向リンク（ＦＬ）および／または逆方向リンク（ＲＬ）で、１または複数のアクセス・ポイント９０４と通信しうる。無線通信システム９００は、大規模な地理的領域にわたってサービスを提供しうる。例えば、マクロ・セル９０２Ａ−９０２Ｇは、人口が密集した都会近傍の数ブロック、または過疎環境における数マイルをカバーしうる。
【００６８】
図１０は、ネットワーク環境において、１または複数のフェムト・ノードが展開されている典型的な通信システム１０００の簡略図である。具体的には、システム１０００は、（例えば、１または複数のユーザ住宅１０３０内のような）比較的小規模のネットワーク環境に搭載された複数のフェムト・ノード１０１０（例えば、フェムト・ノード１０１０Ａ、１０１０Ｂ）を含む。おのおののフェムト・ノード１０１０は、ＤＳＬルータ、ケーブル・モデム、無線リンク、あるいは（図示しない）その他の接続手段を介して、広域ネットワーク１０４０（例えば、インターネット）およびモバイル・オペレータ・コア・ネットワーク１０５０へ接続されうる。以下に説明するように、各フェムト・ノード１０１０は、（例えば、アクセス端末１０２０Ａのような）関連付けられたアクセス端末１０２０と、オプションとして、（例えば、アクセス端末１０２０Ｂのような）外部アクセス端末１０２０にサービス提供するように構成されうる。言い換えれば、フェムト・ノード１０１０へのアクセスが制限され、これによって、所与のアクセス端末１０２０が、指定された（例えば、住宅のような）フェムト・ノード（単数または複数）１０１０のセットによってサービス提供されうるが、（例えば、近隣のフェムト・ノード１０１０のように）指定されていないフェムト・ノード１０１０によってサービス提供されない。
【００６９】
図１１は、おのおのがいくつかのマクロ有効通信範囲エリア１１０４を含むいくつかのトラッキング・エリア１１０２（または、ルーティング・エリアあるいはロケーション・エリア）が規定された有効通信範囲マップ１１００の例を示す簡略図である。ここでは、トラッキング・エリア１１０２Ａ、１１０２Ｂ、１１０２Ｃに関連付けられた有効通信範囲のエリアが、太線によって線引きされ、マクロ有効通信範囲エリア１１０４が、六角形によって表されている。トラッキング・エリア１１０２は、フェムト有効通信範囲エリア１１０６をも含んでいる。この例において、フェムト有効通信範囲エリア１１０６（例えば、フェムト有効通信範囲エリア１１０６Ｃ）のおのおのは、マクロ有効通信範囲エリア１１０４（例えば、マクロ有効通信範囲エリア１１０４Ｂ）内に図示される。しかしながら、フェムト有効通信範囲エリア１１０６は、マクロ有効通信範囲エリア１１０４内に全体的に位置していなくても良いことが認識されるべきである。実際、所与のトラッキング・エリア１１０２またはマクロ有効通信範囲エリア１１０４を用いて、極めて多くのフェムト有効通信範囲エリア１１０６が規定される。さらに、１または複数のピコ有効通信範囲エリア（図示せず）が、所与のトラッキング・エリア１１０２あるいはマクロ有効通信範囲エリア１１０４内に規定されうる。
【００７０】
図１０に再び示すように、フェムト・ノード１０１０の所有者は、モバイル・オペレータ・コア・ネットワーク１０５０を通じて提供された、例えば３Ｇモバイル・サービスのようなモバイル・サービスに加入しうる。さらに、アクセス端末１０２０は、マクロ環境と、（例えば、住宅のような）小規模なネットワーク環境との両方において、動作可能でありうる。言い換えれば、アクセス端末１０２０は、アクセス端末１０２０の現在位置に依存して、モバイル・オペレータ・コア・ネットワーク１０５０に関連付けられたマクロ・セル・モバイル・アクセス・ポイント１０６０によって、あるいは、（例えば、対応するユーザ住宅１０３０内に存在するフェムト・ノード１０１０Ａ、１０１０Ｂのような）フェムト・ノード１０１０のセットのうちの何れか１つによってサービス提供されうる。例えば、加入者が、自宅の外にいる場合、標準的なマクロ・アクセス・ポイント（例えば、アクセス・ポイント１０６０）によってサービス提供され、加入者が、自宅にいる場合、フェムト・ノード（例えば、ノード１０１０Ａ）によってサービス提供される。ここでは、フェムト・ノード１０１０は、既存のアクセス端末１０２０との下位互換性を持ちうることが認識されるべきである。
【００７１】
フェムト・ノード１０１０は、単一の周波数で、代替例では、複数の周波数で展開されうる。特定の構成に依存して、単一の周波数、または、複数の周波数のうちの１または複数が、（例えば、アクセス・ポイント１０６０のような）マクロ・アクセス・ポイントによって使用される１または複数の周波数とオーバラップしうる。
【００７２】
いくつかの態様では、アクセス端末１０２０は、（例えば、アクセス端末１０２０のホーム・フェムト・ノードのような）好適なフェムト・ノードとの接続が可能である場合には常に接続するように構成されうる。例えば、アクセス端末１０２０がユーザの住宅１０３０内にある場合は常に、アクセス端末１０２０はホーム・フェムト・ノード１０１０とのみ通信することが望まれうる。
【００７３】
いくつかの態様では、アクセス端末１０２０が、マクロ・セルラ・ネットワーク１０５０内で動作するものの、（例えば、好適なローミング・リストで定義されたような）最も好適なネットワークに存在しない場合、アクセス端末１０２０は、良好なシステム再選択（ＢＳＲ）を用いて、（例えば、好適なフェムト・ノード１０１０のような）最も好適なネットワークを探索し続ける。これは、良好なシステムが現在利用可能であるかを判定するために利用可能なシステムの定期的な探索と、その後の、好適なシステムとの関連付けのための努力とを含みうる。アクセス端末１０２０は、獲得エントリを用いて、具体的な帯域およびチャネルを求める探索を制限しうる。例えば、最も好適なシステムの探索は、定期的に反復されうる。アクセス端末１０２０は、好適なフェムト・ノード１０１０を発見すると、有効通信範囲エリア内でキャンプするためのフェムト・ノード１０１０を選択する。
【００７４】
フェムト・ノードは、いくつかの態様において、制限されうる。例えば、所与のフェムト・ノードは、あるアクセス端末に対して一定のサービスしか提供しない。いわゆる制限された（すなわち、クローズされた）関連性を持つ構成では、所与のアクセス端末は、マクロ・セル・モバイル・ネットワーク、および、（例えば、対応するユーザの住宅１０３０内に存在するフェムト・セル１０１０のように）定義されたフェムト・ノードのセットによってのみサービス提供されうる。いくつかの実施では、ノードは、シグナリング、データ・アクセス、登録、ページング、またはサービスのうちの少なくとも１つを、少なくとも１つのノードのために提供しないように制限されうる。
【００７５】
いくつかの態様では、（クローズド加入者グループ・ホーム・ノードＢとも称されうる）制限されたフェムト・ノードは、制限されたアクセス端末のプロビジョンされたセットへサービスを提供するノードである。このセットは、役に立つものとして、一時的または永久に拡張されうる。いくつかの態様では、クローズド加入者グループ（ＣＳＧ）は、アクセス端末の共通アクセス制御リストを共有するアクセス・ポイント（例えば、フェムト・ノード）のセットとして定義されうる。制限されたアクセス・ポイントは、複数のアクセス端末の接続を許可するＣＳＧを含みうる。単一のアクセス端末は、複数の制限されたアクセス・ポイントへ接続する能力を有しうる。領域内のすべてのフェムト・ノード（または制限されたすべてのフェムト・ノード）が動作するチャネルは、フェムト・チャネルと称されうる。
【００７６】
所与のフェムト・ノードと、所与のアクセス端末との間に、さまざまな関係が存在しうる。例えば、アクセス端末の観点から、オープンなフェムト・ノードは、制限された関連付けを持たないフェムト・ノード（例えば、フェムト・ノードは、任意のアクセス端末へのアクセスを可能とする）と称されうる。制限されたフェムト・ノードは、（例えば、関連付けおよび／または登録について制限されたような）ある方式で制限されたフェムト・ノードと称されうる。ホーム・フェムト・ノードは、アクセス端末がアクセスし動作することを許可されたフェムト・ノードを称しうる（例えば、定義された１または複数のアクセス端末のために永久的なアクセスが提供される）。ゲスト・フェムト・ノードは、アクセス端末がアクセスし動作することを一時的に許可されたフェムト・ノードを称しうる。外部フェムト・ノードは、恐らく緊急事態（例えば、９１１コール）を除いて、アクセス端末がアクセスし動作することを許可されないフェムト・ノードを称しうる。
【００７７】
制限されたフェムト・ノードの観点から、ホーム・アクセス端末は、制限されたフェムト・ノードにアクセスすることを許可されたアクセス端末（例えば、アクセス端末は、フェムト・ノードに対して永久的なアクセスを有する）を称しうる。ゲスト・アクセス端末は、制限された（例えば、期限、使用時間、バイト、接続回数、または、その他いくつかの１または複数の基準に基づいて制限された）フェムト・ノードへの一時的なアクセスを備えたアクセス端末を称しうる。外部アクセス端末は、恐らくは、例えば９１１コールのような緊急事態を除いて、制限されたフェムト・ノードへのアクセスする許可を持たないアクセス端末（例えば、制限されたフェムト・ノードに登録する証明書または許可を持たないアクセス端末）を称しうる。
【００７８】
便宜上、本明細書における開示は、フェムト・ノードのコンテキストで、さまざまな機能を説明している。しかしながら、ピコ・ノードが、大規模な有効通信範囲エリアのために、同じまたは同様の機能を提供しうることが認識されるべきである。例えば、ピコ・ノードは、制限されており、ホーム・ピコ・ノードは、所与のアクセス端末のために定義される等である。
【００７９】
無線多元接続通信システムは、複数の無線アクセス端末のための通信を同時にサポートすることができる。前述したように、おのおのの端末は、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力複数出力（ＭＩＭＯ）システム、あるいは、その他いくつかのタイプのシステムによって確立されうる。
【００８０】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分解されうる。ここで、ＮＳ≦ｍｉｎ｛ＮＴ，ＮＲ｝である。ＮＳ個の独立チャネルのおのおのは、ディメンションに相当する。ＭＩＭＯシステムは、複数の送信アンテナおよび受信アンテナによって形成された追加のディメンションが利用される場合、向上された性能（例えば、より高いスループット、および／または、より高い信頼性）を与えることができる。
【００８１】
ＭＩＭＯシステムは、時分割デュプレクス（ＴＤＤ）および周波数分割デュプレクス（ＦＤＤ）をサポートしうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントは、アクセス・ポイントにおいて複数のアンテナが利用可能である場合、順方向リンクで、ビームフォーミング利得を送信できるようになる。
【００８２】
本明細書における教示は、少なくとも１つの他のノードと通信するためにさまざまな構成要素を適用するノード（例えば、デバイス）へ組み込まれうる。図１２は、ノード間の通信を容易にするために適用されうるいくつかのサンプル構成要素を図示する。特に、図１２は、ＭＩＭＯシステム１２００の第１の無線デバイス１２１０（例えば、アクセス・ポイント）と第２の無線デバイス１２５０（例えば、アクセス端末）との簡略ブロック図である。第１のデバイス１２１０では、多くのデータ・ストリームのためのトラフィック・データが、データ・ソース１２１２から送信（ＴＸ）データ・プロセッサ１２１４へ提供される。
【００８３】
いくつかの態様では、各データ・ストリームが、それぞれの送信アンテナを介して送信される。ＴＸデータ・プロセッサ１２１４は、トラフィック・データ・ストリームをフォーマットし、このデータ・ストリームのために選択された特定の符号化スキームに基づいて符号化し、インタリーブして、符号化されたデータを提供する。
【００８４】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ１２３０によって実行される命令群によって決定される。データ・メモリ１２３２は、デバイス１２１０のプロセッサ１２３０またはその他の構成要素によって使用されるプログラム・コード、データ、およびその他の情報を格納しうる。
【００８５】
すべてのデータ・ストリームの変調シンボルはその後、ＴＸ  ＭＩＭＯプロセッサ１２２０へ提供される。ＴＸ  ＭＩＭＯプロセッサ１２２０はさらに、（例えばＯＦＤＭのための）変調シンボルを処理する。その後、ＴＸ  ＭＩＭＯプロセッサ１２２０は、ＮＴ個の変調シンボル・ストリームを、ＮＴ個のトランシーバ（ＸＣＶＲ）１２２２Ａ乃至１２２２Ｔへ提供する。いくつかの態様では、ＴＸ  ＭＩＭＯプロセッサ１２２０は、データ・ストリームのシンボルへ、および、このシンボルの送信がなされるアンテナへビームフォーミング重みを適用する。
【００８６】
各トランシーバ１２２２は、それぞれのシンボル・ストリームを受信し、処理することによって、１または複数のアナログ信号を提供し、さらに、これらアナログ信号を調整（例えば、増幅、フィルタ、およびアップコンバート）することにより、ＭＩＭＯチャネルによる送信に適切な変調信号が提供される。その後、トランシーバ１２２２Ａ乃至１２２２ＴからのＮＴ個の変調信号が、ＮＴ個のアンテナ１２２４Ａ乃至１２２４Ｔからそれぞれ送信される。
【００８７】
第２のデバイス１２５０では、送信された変調信号が、ＮＲ個のアンテナ１２５２Ａ乃至１２５２Ｒによって受信され、おのおののアンテナ１２５２からの受信信号が、それぞれのトランシーバ（ＸＣＶＲ）１２５４Ａ乃至１２５４Ｒへ提供される。各トランシーバ１２５４は、受信したそれぞれの信号を調整（例えば、フィルタ、増幅、およびダウンコンバート）し、調整された信号をデジタル化してサンプルを取得し、これらサンプルをさらに処理することにより、対応する「受信された」シンボル・ストリームが提供される。
【００８８】
受信（ＲＸ）データ・プロセッサ１２６０は、その後、ＮＲ個のトランシーバ１２５４からＮＲ個のシンボル・ストリームを受信し、これら受信したＮＲ個のシンボル・ストリームを、特定の受信機処理技術に基づいて処理することにより、ＮＴ個の「検出された」シンボル・ストリームが提供される。ＲＸデータ・プロセッサ１２６０は、その後、検出されたおのおののシンボル・ストリームを復調し、デインタリーブし、復号して、そのデータ・ストリームのためのトラフィック・データを復元する。ＲＸデータ・プロセッサ１２６０による処理は、デバイス１２１０におけるＴＸデータ・プロセッサ１２１４およびＴＸ  ＭＩＭＯプロセッサ１２２０によって実行されるものに対して相補的である。
【００８９】
プロセッサ１２７０は、上述したように、どの事前符合化行列を使用するのかを定期的に決定する。プロセッサ１２７０は、行列インデクス部およびランク値部を備えた逆方向リンク・メッセージを規定することができる。データ・メモリ１２７２は、第２のデバイス１２５０のプロセッサ１２７０またはその他の構成要素によって使用されるプログラム・コード、データ、およびその他の情報を格納しうる。
【００９０】
逆方向リンク・メッセージは、通信リンクおよび／または受信されたデータ・ストリームに関するさまざまなタイプの情報を備えうる。その後、逆方向リンク・メッセージは、ＴＸデータ・プロセッサ１２３８によって処理され、変調器１２８０によって変調され、トランシーバ１２５４Ａ乃至１２５４Ｒによって調整され、デバイス１２１０へ送り戻される。ＴＸデータ・プロセッサ１２３８はまた、データ・ソース１２３６から、多くのデータ・ストリームのトラフィック・データを受信する。
【００９１】
デバイス１２１０では、第２のデバイス１２５０からの変調信号が、アンテナ１２２４によって受信され、トランシーバ１２２２によって調整され、復調器（ＤＥＭＯＤ）１２４０によって復調され、ＲＸデータ・プロセッサ１２４２によって処理されて、第２のデバイス１２５０によって送信された逆方向リンク・メッセージが抽出される。その後、プロセッサ１２３０が、ビームフォーミング重みを決定するためにどの事前符号化行列を使用するのかを決定し、抽出されたメッセージを処理する。
【００９２】
図１２はまた、本明細書で教示されたようなアクセス制御動作を実行する１または複数の構成要素を含みうる通信構成要素を例示する。例えば、本明細書で教示されたように、他のデバイス（例えば、デバイス１２５０）と信号を送信／受信するために、アクセス制御構成要素１２９０が、デバイス１２１０のプロセッサ１２３０および／またはその他の構成要素と連携しうる。同様に、アクセス制御構成要素１２９２は、プロセッサ１２７０、および／または、デバイス１２５０のその他の構成要素と連携し、（例えば、デバイス１２１０のような）他のデバイスとの間と信号を送信／受信する。おのおののデバイス１２１０、１２５０について、記述された構成要素のうちの１または複数の機能が、単一の構成要素によって提供されうることが認識されるべきである。例えば、単一の処理構成要素が、アクセス制御構成要素１２９０およびプロセッサ１２３０の機能を提供し、単一の処理構成要素が、アクセス制御構成要素１２９２およびプロセッサ１２７０の機能を提供しうる。
【００９３】
本明細書に記載された教示は、さまざまなアプローチ（例えば、ノード）へ組み込まれうる（例えば、これらアプローチによって実行されるか、これらアプローチ内で実施される）。いくつかの態様では、本明細書における教示したがって実施されるノード（例えば、無線ノード）は、アクセス・ポイントまたはアクセス端末を備えうる。
【００９４】
例えば、アクセス端末は、ユーザ機器、加入者局、加入者ユニット、移動局、モバイル、モバイル・ノード、遠隔局、遠隔端末、ユーザ端末、ユーザ・エージェント、ユーザ・デバイス、または、その他いくつかの用語を備えているか、実現されるか、知られている。いくつかの実施において、アクセス端末は、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタテイメント・デバイス（例えば、音楽デバイス、ビデオ・デバイス、または衛星ラジオ）、全地球測位システム・デバイス、または、無線媒体によって通信するように構成されたその他任意の適切なデバイスへ組み込まれうる。
【００９５】
アクセス・ポイントは、ノードＢ、ｅノードＢ、ラジオ・ネットワーク・コントローラ（ＲＮＣ）、基地局（ＢＳ）、ラジオ基地局（ＲＢＳ）、基地局コントローラ（ＢＳＣ）、基地トランシーバ局（ＢＴＳ）、トランシーバ機能（ＴＦ）、トランシーバ、ラジオ・ルータ、基本サービス・セット（ＢＳＳ）、拡張サービス・セット（ＥＳＳ）、その他いくつかの用語を備えているか、実現されるか、知られている。
【００９６】
いくつかの態様では、ノード（例えば、アクセス・ポイント）は、通信システムのためにアクセス・ノードを備えうる。このようなアクセス・ノードは、例えば、インターネットへの有線または無線による通信リンクによって、（例えば、インターネットまたはセルラ・ネットワークのような広域ネットワークのような）ネットワークのため、または、ネットワークへの接続を提供しうる。したがって、アクセス・ノードは、（例えば、アクセス端末のような）他のノードが、ネットワークまたはその他いくつかの機能へアクセスすることを可能にしうる。さらに、これらノードのうちの１つまたは両方が、ポータブルでありうるか、あるいは、いくつかの場合においては、相対的に非ポータブルでありうることが認識されるべきである。
【００９７】
また、無線ノードは、非無線方式で（例えば、有線接続によって）情報を送信および／または受信することができうることが認識されるべきである。したがって、本明細書で議論されたような受信機および送信機は、非無線媒体を介して通信するために適切な通信インタフェース構成要素（例えば、電気的または光学的なインタフェース構成要素）を含みうる。
【００９８】
無線ノードは、任意の適切な無線通信技術に基づくか、あるいはサポートする１または複数の無線通信リンクによって通信しうる。例えば、いくつかの態様では、無線ノードは、ネットワークに関連付けられうる。いくつかの態様では、ネットワークは、ローカル・エリア・ネットワークまたは広域ネットワークを備えうる。無線デバイスは、（例えば、ＣＤＭＡ、ＴＤＭＡ、ＯＦＤＭ、ＯＦＤＭＡ、Ｗｉ−Ｆｉ、ＷｉＭＡＸ等のように）本明細書で記述されたようなさまざまな無線通信技術、プロトコル、または規格のうちの１または複数のサポートあるいは使用しうる。同様に、無線ノードは、対応するさまざまな変調スキームまたは多重化スキームのうちの１または複数のサポートあるいは使用しうる。無線ノードは、上述した、あるいは、その他の無線通信技術を用いる１または複数の無線通信リンクを確立し、通信するための適切な構成要素（例えば、エア・インタフェース）を含みうる。例えば、無線ノードは、無線媒体による通信を容易にするさまざまな構成要素（例えば、信号生成器および信号プロセッサ）を含みうる送信機構成要素および受信機構成要素に関連付けられた無線トランシーバを備えうる。
【００９９】
本明細書に記載されたこれら構成要素は、さまざまな方式で実現されうる。図１３乃至図２３を参照して、装置１３００、１４００、１５００、１６００、１７００、１８００、１９００、２０００、２１００、２２００、および２３００は、一連の相互関連する機能ブロックとして示される。いくつかの態様では、これらブロックの機能は、１または複数のプロセッサ構成要素を含む処理システムとして実現されうる。いくつかの態様では、これらブロックの機能は、例えば、１または複数の集積回路（例えば、ＡＳＩＣ）の少なくとも一部を用いて実現されうる。本明細書で議論されるように、集積回路は、プロセッサ、ソフトウェア、その他関連する構成要素、あるいはこれらのある組み合わせを含みうる。これらブロックの機能は、本明細書で教示されるようなその他いくつかの方式でも実施されうる。いくつかの態様では、図１３乃至図２３における破線ブロックのうちの１または複数はオプションである。
【０１００】
装置１３００、１４００、１５００、１６００、１７００、１８００、１９００、２０００、２１００、２２００、および２３００は、さまざまな図面に関連して上述されたような機能のうちの１または複数を実行する１または複数のモジュールを含みうる。例えば、受信／送信手段１３０２は、例えば、本明細書で議論されたような通信コントローラに対応しうる。識別子判定手段１３０４は、例えば、本明細書で議論されたようなアクセス・コントローラに対応しうる。許可サービス判定手段１３０６は、例えば、本明細書で議論されたようなアクセス・コントローラに対応しうる。受信手段１４０２は、例えば、本明細書で議論されたような通信コントローラに対応しうる。送信手段１４０４は、例えば、本明細書で議論されたようなアクセス・コントローラに対応しうる。識別子判定手段１４０６は、例えば、本明細書で議論されたようなアクセス・コントローラに対応しうる。送信手段１５０２は、例えば、本明細書で議論されたようなアクセス・コントローラに対応しうる。受信手段１５０４は、例えば、本明細書で議論されたような通信コントローラに対応しうる。許可サービス判定手段１５０６は、例えば、本明細書で議論されたようなアクセス・コントローラに対応しうる。設定手段１６０２は、例えば、本明細書で議論されたようなプロビジョニング・コントローラに対応しうる。取得手段１６０４は、例えば、本明細書で議論されたようなアクセス・コントローラに対応しうる。受信手段１６０６は、例えば、本明細書で議論されたような通信コントローラに対応しうる。判定手段１６０８は、例えば、本明細書で議論されたようなアクセス・コントローラに対応しうる。識別子判定手段１７０２は、例えば、本明細書で議論されたようなプロビジョニング・コントローラに対応しうる。送信手段１７０４は、例えば、本明細書で議論されたような通信コントローラに対応しうる。割当手段１７０６は、例えば、本明細書で議論されたようなプロビジョニング・コントローラに対応しうる。受信手段１８０２は、例えば、本明細書で議論されたようなプロビジョニング・コントローラに対応しうる。送信手段１８０４は、例えば、本明細書で議論されたような通信コントローラに対応しうる。識別子判定手段１９０２は、例えば、本明細書で議論されたようなプロビジョニング・コントローラに対応しうる。送信手段１９０４は、例えば、本明細書で議論されたような通信コントローラに対応しうる。受信手段２００２は、例えば、本明細書で議論されたような通信コントローラに対応しうる。アクセス可能性判定２００４は、例えば、本明細書で議論されたようなアクセス・コントローラに対応しうる。設定ベース判定手段２００６は、例えば、本明細書で議論されたようなアクセス・コントローラに対応しうる。リスト保持手段２００８は、例えば、本明細書で議論されたようなアクセス・コントローラに対応しうる。設定手段２１０２は、例えば、本明細書で議論されたようなプロビジョニング・コントローラに対応しうる。送信手段２１０４は、例えば、本明細書で議論されたような通信コントローラに対応しうる。受信手段２１０６は、例えば、本明細書で議論されたような通信コントローラに対応しうる。送信手段２１０８は、例えば、本明細書で議論されたようなプロビジョニング・コントローラに対応しうる。定義手段２１１０は、例えば、本明細書で議論されたようなプロビジョニング・コントローラに対応しうる。モニタリング手段２２０２は、例えば、本明細書で議論されたような受信機に対応しうる。ビーコン受信手段２２０４は、例えば、本明細書で議論されたような受信機に対応しうる。送信手段２２０６は、例えば、本明細書で議論されたような通信コントローラに対応しうる。ローミング・リスト受信手段２２０８は、例えば、本明細書で議論されたようなプロビジョニング・コントローラに対応しうる。設定手段２３０２は、例えば、本明細書で議論されたようなプロビジョニング・コントローラに対応しうる。ビーコン受信手段２３０４は、例えば、本明細書で議論されたような受信機に対応しうる。送信手段２３０６は、例えば、本明細書で議論されたような通信コントローラに対応しうる。許可受信手段２３０８は、例えば、本明細書で議論されたようなアクセス・コントローラに対応しうる。促進手段２３１０は、例えば、本明細書で議論されたようなアクセス・コントローラに対応しうる。表示手段２３１２は、例えば、本明細書で議論されたようなアクセス・コントローラに対応しうる。
【０１０１】
本明細書において、例えば、「第１の」、「第２の」等のような指定を用いる要素に対する参照は、一般に、これら要素の数も順序も限定しないことが理解されるべきである。さらに、これら指定は、本明細書において、複数の要素または要素の事例を区別する従来の方法として使用されうる。したがって、第１の要素および第２の要素に対する参照は、２つのみの要素がそこで適用されることでも、ある方式においては第１の要素が第２の要素に先行しなければならないということも意味しない。また、特に述べられていないのであれば、これら要素のセットは、１または複数の要素を備えうる。
【０１０２】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【０１０３】
当業者であれば、本明細書で開示された態様に関して記述されたさまざまな例示的な論理ブロック、モジュール、プロセッサ、手段、回路、およびアルゴリズム・ステップは、電子ハードウェア（例えば、デジタル実施、アナログ実施、あるいは、ソース・コーディングまたはその他いくつかの技術を用いて設定されうるこれら２つの組み合わせ）、命令群を組み込んだプログラムまたは設計コードからなるさまざまな形態（本明細書では、便宜上、「ソフトウェア」または「ソフトウェア・モジュール」として称されうる）、あるいはこれら両方の組み合わせとして実現されうることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【０１０４】
本明細書に開示された態様に関して記載されたさまざまな例示的な論理ブロック、モジュール、回路は、集積回路（ＩＣ）、アクセス端末、またはアクセス・ポイント内に実装されるか、あるいは、これらによって実行されうる。ＩＣは、汎用プロセッサ、デジタル信号プロセッサ（ＤＳＰ）、特定用途向けＩＣ（ＡＳＩＣ）、フィールドプログラム可能ゲート・アレイ（ＦＰＧＡ）またはその他のプログラム可能な論理デバイス、ディスクリート・ゲートまたはトランジスタ・ロジック、ディスクリート・ハードウェア構成要素、電子構成要素、光学構成要素、機械的構成要素、あるいは、本明細書に記載された機能を実行するように設計されたこれらの任意の組み合わせを備え、ＩＣの内部、ＩＣの外部、またはその両方に存在するコードまたは命令群を実行しうる。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【０１０５】
開示された任意の処理におけるステップの具体的な順序または階層は、サンプル・アプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【０１０６】
記載された機能は、ハードウェア、ソフトウェア、ファームウェア、あるいは、これらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。要約すると、コンピュータ読取可能媒体は、任意の適切なコンピュータ・プログラム製品内に実装されうることが認識されるべきである。
【０１０７】
上記記載は、当業者をして、特許請求の範囲のスコープ内で、実施形態を製造または利用できるように提供されている。これらの態様へのさまざまな変形は、当業者に容易に明らかであって、本明細書で定義された一般原理は、本開示の範囲から逸脱することなく、他の態様に適用されうる。このように、本開示は、本明細書で示された態様に限定されるものではなく、本明細書で開示された原理および新規な特徴に一致した最も広い範囲に相当することが意図されている。
【図１】
2014180018.tif 000003
【図２】
2014180018.tif 000004
【図３】
2014180018.tif 000005
【図４】
2014180018.tif 000006
【図５】
2014180018.tif 000007
【図６】
2014180018.tif 000008
【図７】
2014180018.tif 000009
【図８】
2014180018.tif 000010
【図９】
2014180018.tif 000011
【図１０】
2014180018.tif 000012
【図１１】
2014180018.tif 000013
【図１２】
2014180018.tif 000014
【図１３】
2014180018.tif 000015
【図１４】
2014180018.tif 000016
【図１５】
2014180018.tif 000017
【図１６】
2014180018.tif 000018
【図１７】
2014180018.tif 000019
【図１８】
2014180018.tif 000020
【図１９】
2014180018.tif 000021
【図２０】
2014180018.tif 000022
【図２１】
2014180018.tif 000023
【図２２】
2014180018.tif 000024
【図２３】
2014180018.tif 000025
【手続補正書】
【提出日】平成26年6月3日(2014.6.3)
【手続補正１】
【補正対象書類名】特許請求の範囲
【補正対象項目名】全文
【補正方法】変更
【補正の内容】
【特許請求の範囲】
【請求項１】
無線アクセス・ポイントにおいて通信を管理する方法であって、
前記無線アクセス・ポイントから提供されるシステム・リソースへのアクセスを求める要求を、第１のアクセス端末から受信することと、
前記第１のアクセス端末が、グループのメンバであるか非メンバであるかを判定することと、
前記第１のアクセス端末がメンバであるか非メンバであるかに基づいて、複数のサービス・レベルのうちの１つから、前記第１のアクセス端末のためのサービス・レベルを決定することと、
少なくとも１つのアクセス端末が、前記無線アクセス・ポイントへの確立されたリンクを有し、かつ、前記第１のアクセス端末へアクセスを提供することに応じるために低下されうるそれぞれのサービス品質（ＱｏＳ）を有する非メンバであるか否かを判定することと、
システム・リソースを示す少なくとも１つの値と、前記第１のアクセス端末および少なくとも１つの第２のアクセス端末のうちの少なくとも１つがグループのメンバであるか否かとの両方に基づいて、前記無線アクセス・ポイントと前記少なくとも１つのアクセス端末を含む少なくとも１つの第２のアクセス端末との間の、通信のＱｏＳを選択的に調節することとを備え、
前記メンバおよび非メンバのためのそれぞれのサービス・レベルは異なっており、
メンバは、非メンバよりも、システム・リソースに対して優先アクセスを有する、方法。
【請求項２】
前記第１のアクセス端末が、メンバであるか非メンバであるかを示すメッセージを受信することをさらに備える請求項１に記載の方法。
【請求項３】
前記メッセージは、コア・ネットワーク内の要素から受信される、請求項２に記載の方法。
【請求項４】
前記サービス・レベルを決定することは、システム・リソースのうちの、前記グループに含まれる１または複数の別のアクセス端末に割り当てられたシステム・リソースの異なる部分よりもわずかな部分を、前記第１のアクセス端末へ割り当てることを含む、請求項１に記載の方法。
【請求項５】
前記無線アクセス・ポイントから提供される前記システム・リソースを示す少なくとも１つの値を決定することをさらに備える請求項１に記載の方法。
【請求項６】
前記第１のアクセス端末および少なくとも１つの第２のアクセス端末の両方がメンバであり、前記要求に応えることが、前記無線アクセス・ポイントと前記少なくとも１つの第２のアクセス端末との間の通信のＱｏＳに悪影響を与えるのであれば、前記ＱｏＳは調節されない、請求項５に記載の方法。
【請求項７】
前記少なくとも１つの第２のアクセス端末がメンバであり、前記第１のアクセス端末が非メンバである場合、前記ＱｏＳは調節されない、請求項５に記載の方法。
【請求項８】
前記システム・リソースを示す少なくとも１つの値は、利用可能な容量、利用された容量、および合計容量、のうちの１つを示すデータを備える、請求項５に記載の方法。
【請求項９】
前記利用可能な容量を決定することは、前記無線アクセス・ポイントへの確立されたリンクの無いアクセス端末が、前記無線アクセス・ポイントへの確立されたリンクを持つアクセス端末へ提供されたＱｏＳに悪影響を与えることなく、システム・リソースへのアクセスが提供されうるかを判定することを含む、請求項８に記載の方法。
【請求項１０】
前記第１のアクセス端末が、グループのメンバであるかを判定することと、
前記第１のアクセス端末が非メンバであり、アクセスを提供することが、前記無線アクセス・ポイントへの確立されたリンクを持つグループ・メンバに提供されたＱｏＳに悪影響を与えるのであれば、前記第１のアクセス端末の、システム・リソースへのアクセスを拒否することと
をさらに備える請求項９に記載の方法。
【請求項１１】
アクセスを提供することが、前記無線アクセス・ポイントへの確立されたリンクを持つ任意のアクセス端末に提供されたＱｏＳに悪影響を与えない限り、前記第１のアクセス端末に、システム・リソースへのアクセスを提供すること、をさらに備える請求項１０に記載の方法。
【請求項１２】
前記第１のアクセス端末が非メンバであり、前記第１のアクセス端末に応じるために低下されうるＱｏＳをそれぞれ有する少なくとも１つの非メンバ・アクセス端末が存在する場合、前記第１のアクセス端末に、システム・リソースへのアクセスを提供することをさらに備える請求項１０に記載の方法。
【請求項１３】
前記無線アクセス・ポイントと、以前に確立された低優先度のリンクを持つ非メンバとの間の通信を終了させること、および、以前に確立された低優先度のリンクを持つ非メンバのＱｏＳを低下させること、のうちの１つによって、前記第１のアクセス端末に、システム・リソースへのアクセスを提供することをさらに備える請求項１０に記載の方法。
【請求項１４】
前記第１のアクセス端末が、グループのメンバであるかを判定することと、
前記第１のアクセス端末がメンバであり、前記無線アクセス・ポイントへの以前に確立されたリンクを持つ少なくとも１つの非メンバが存在する場合、前記無線アクセス・ポイントと前記非メンバとの間の通信を終了させること、および、前記非メンバのためのＱｏＳを低下させることのうちの１つによって、前記第１のアクセス端末に、システム・リソースへのアクセスを提供することと
をさらに備える請求項９に記載の方法。
【請求項１５】
前記第１のアクセス端末がメンバであり、前記無線アクセス・ポイントへの以前に確立されたリンクを持つ少なくとも１つの他のメンバが存在する場合、前記他のメンバのためのＱｏＳを低下させることによって、前記第１のアクセス端末に、システム・リソースへのアクセスを提供することをさらに備える請求項１４に記載の方法。
【請求項１６】
前記第１のアクセス端末に、システム・リソースへのアクセスが提供されうるかを、非メンバとの通信のＱｏＳを調節することによって判定することと、
少なくとも１つの非メンバのＱｏＳを低下させることによって、前記第１のアクセス端末に、システム・リソースへのアクセスを提供することと
をさらに備える請求項１４に記載の方法。
【請求項１７】
前記アクセス端末のうちのいくつかが、複数の異なるグループに属しており、これらグループのおのおのは、少なくとも１つの別のグループと比べて、前記システム・リソースへの異なる優先アクセス権を有する、請求項１に記載の方法。
【請求項１８】
前記ＱｏＳは、許容可能なビット誤り率、許容可能なシンボル誤り率、許容可能なパケット誤り率、データ送信レート、シンボル送信レート、パケット送信レート、保証ビット・レート、許容可能な信号対雑音、割当および保持優先度のうちの少なくとも１つによって定義される、請求項５に記載の方法。
【請求項１９】
前記第１のアクセス端末は、保証ビット・レート（ＧＢＲ）サービスを備えた通信リンクを要求し、メンバおよび非メンバに提供されたそれぞれのサービス・レベル間の区別は、割当および保持優先度（ＡＲＰ）を適用することにより、アクセス制御とともに実施される、請求項１に記載の方法。
【請求項２０】
前記第１のアクセス端末は、非保証ビット・レート（非ＧＢＲ）サービスを備えた通信リンクを要求し、メンバおよび非メンバに提供されたそれぞれのサービス・レベル間の区別は、高優先度を持つメンバのパケットを取り扱うことによって実施され、その結果、非メンバに比べて、メンバに対して高いスループットおよび低い遅延となる、請求項１に記載の方法。
【請求項２１】
無線アクセス・ポイントであって、
前記無線アクセス・ポイントから提供されるシステム・リソースへのアクセスを求める要求を、第１のアクセス端末から受信するように構成された受信機と、
前記無線アクセス・ポイントと１または複数のアクセス端末との間に順方向チャネルを提供するように構成された送信機と、
ここで、前記順方向チャネルは、前記システム・リソースのうちの少なくとも一部を備え、
コードを実行するように構成されたコントローラと、
前記コントローラによって実行された場合、（ｉ）前記第１のアクセス端末が、グループのメンバであるか非メンバであるかを判定し、（ｉｉ）前記第１のアクセス端末がメンバであるか非メンバであるかに基づいて、前記第１のアクセス端末のために、複数のサービス・レベルのうちの１つから、サービス・レベルを決定し、ここで、メンバおよび非メンバのためのそれぞれのサービス・レベルは異なっており、（ｉｉｉ）少なくとも１つのアクセス端末が、前記無線アクセス・ポイントへの確立されたリンクを有し、かつ、前記第１のアクセス端末へアクセスを提供することに応じるために低下されうるそれぞれのサービス品質（ＱｏＳ）を有する非メンバであるか否かを判定し、（ｉｖ）システム・リソースを示す少なくとも１つの値と、前記第１のアクセス端末および少なくとも１つの第２のアクセス端末のうちの少なくとも１つがグループのメンバであるか否かとの両方に基づいて、前記無線アクセス・ポイントと前記少なくとも１つのアクセス端末を含む少なくとも１つの第２のアクセス端末との間の、通信のＱｏＳを選択的に調節し、ここで、メンバは、非メンバよりも、システム・リソースに対して優先アクセスを有する、ように構成されたコードを格納する非一時的コンピュータ読取可能メモリと
を備える無線アクセス・ポイント。
【請求項２２】
前記受信機はさらに、前記無線アクセス・ポイントと１または複数のアクセス端末との間の逆方向チャネル通信を可能にするように構成され、前記逆方向チャネルは、前記システム・リソースのうちの少なくとも一部を備える、請求項２１に記載の無線アクセス・ポイント。
【請求項２３】
無線ネットワーク内のモビリティ管理エンティティから、前記無線アクセス・ポイントへ、グループ・メンバシップ・データが提供される、請求項２１に記載の無線アクセス・ポイント。
【請求項２４】
前記サービス・レベルを決定することは、システム・リソースのうちの、前記グループに含まれる１または複数の別のアクセス端末に割り当てられたシステム・リソースの異なる部分よりもわずかな部分を、前記第１のアクセス端末へ割り当てることを含む、請求項２１に記載の無線アクセス・ポイント。
【請求項２５】
前記非一時的コンピュータ読取可能メモリはさらに、前記コントローラによって実行された場合、
前記無線アクセス・ポイントから提供される前記システム・リソースを示す少なくとも１つの値を決定するように構成されたコードを格納している、請求項２１に記載の無線アクセス・ポイント。
【請求項２６】
前記非一時的コンピュータ読取可能メモリはさらに、前記コントローラによって実行された場合、前記無線アクセス・ポイントへの確立されたリンクの無いアクセス端末が、前記無線アクセス・ポイントへの確立されたリンクを持つアクセス端末へ提供されたＱｏＳに悪影響を与えることなく、システム・リソースへのアクセスが提供されうるかを判定するように構成されたコードを備える、請求項２５に記載の無線アクセス・ポイント。
【請求項２７】
前記非一時的コンピュータ読取可能メモリはさらに、前記コントローラによって実行された場合、
前記第１のアクセス端末が、グループのメンバであるかを判定することと、
前記第１のアクセス端末が非メンバであり、アクセスを提供することが、前記無線アクセス・ポイントへの確立されたリンクを持つグループ・メンバに提供されたＱｏＳに悪影響を与えるのであれば、前記第１のアクセス端末の、システム・リソースへのアクセスを拒否する、
ように構成されたコードを備える、請求項２５に記載の無線アクセス・ポイント。
【請求項２８】
前記非一時的コンピュータ読取可能メモリはさらに、前記コントローラによって実行された場合、アクセスを提供することが、前記無線アクセス・ポイントへの確立されたリンクを持つ任意のアクセス端末に提供されたＱｏＳに悪影響を与えない限り、前記第１のアクセス端末に、システム・リソースへのアクセスを提供するように構成されたコードを備える、請求項２７に記載の無線アクセス・ポイント。
【請求項２９】
前記非一時的コンピュータ読取可能メモリはさらに、前記コントローラによって実行された場合、
前記第１のアクセス端末が非メンバであり、前記第１のアクセス端末に応じるために低下されうるＱｏＳをそれぞれ有する少なくとも１つの非メンバ・アクセス端末が存在する場合、前記第１のアクセス端末に、システム・リソースへのアクセスを提供する
ように構成されたコードを備える、請求項２７に記載の無線アクセス・ポイント。
【請求項３０】
前記非一時的コンピュータ読取可能メモリはさらに、前記コントローラによって実行された場合、前記無線アクセス・ポイントと、以前に確立された低優先度のリンクを持つ非メンバとの間の通信を終了させること、および、以前に確立された低優先度のリンクを持つ非メンバのＱｏＳを低下させること、のうちの１つによって、前記第１のアクセス端末に、システム・リソースへのアクセスを提供するように構成されたコードを備える、請求項２７に記載の無線アクセス・ポイント。
【請求項３１】
前記非一時的コンピュータ読取可能メモリはさらに、前記コントローラによって実行された場合、前記第１のアクセス端末がメンバであり、前記無線アクセス・ポイントへの以前に確立されたリンクを持つ少なくとも１つの非メンバが存在する場合、前記無線アクセス・ポイントと前記非メンバとの間の通信を終了させること、および、前記非メンバのためのＱｏＳを低下させることのうちの１つによって、前記第１のアクセス端末に、システム・リソースへのアクセスを提供する、ように構成されたコードを備える、請求項２６に記載の無線アクセス・ポイント。
【請求項３２】
前記非一時的コンピュータ読取可能メモリはさらに、前記コントローラによって実行された場合、前記第１のアクセス端末がメンバであり、前記無線アクセス・ポイントへの以前に確立されたリンクを持つ少なくとも１つの他のメンバが存在する場合、前記他のメンバのためのＱｏＳを低下させることによって、前記第１のアクセス端末に、システム・リソースへのアクセスを提供する、ように構成されたコードを備える、請求項３１に記載の無線アクセス・ポイント。
【請求項３３】
前記非一時的コンピュータ読取可能メモリはさらに、前記コントローラによって実行された場合、
前記第１のアクセス端末に、システム・リソースへのアクセスが提供されうるかを、非メンバとの通信のＱｏＳを調節することによって判定し、
少なくとも１つの非メンバのＱｏＳを低下させることによって、前記第１のアクセス端末に、システム・リソースへのアクセスを提供する
ように構成されたコードを備える、請求項３１に記載の無線アクセス・ポイント。
【請求項３４】
コンピューティング・デバイスによって実行された場合、
第１のアクセス端末が、グループのメンバであるか非メンバであるかを判定し、
前記第１のアクセス端末がメンバであるか非メンバであるかに基づいて、前記第１のアクセス端末のために、複数のサービス・レベルのうちの１つから、サービス・レベルを決定し、ここで、メンバおよび非メンバのためのそれぞれのサービス・レベルは異なっており、
少なくとも１つのアクセス端末が、前記無線アクセス・ポイントへの確立されたリンクを有し、かつ、前記第１のアクセス端末へアクセスを提供することに応じるために低下されうるそれぞれのサービス品質（ＱｏＳ）を有する非メンバであるか否かを判定し、
システム・リソースを示す少なくとも１つの値と、前記第１のアクセス端末および少なくとも１つの第２のアクセス端末のうちの少なくとも１つがグループのメンバであるか否かとの両方に基づいて、前記無線アクセス・ポイントと前記少なくとも１つのアクセス端末を含む少なくとも１つの第２のアクセス端末との間の、通信のＱｏＳを選択的に調節し、ここで、メンバは、非メンバよりも、システム・リソースに対して優先アクセスを有する、
ように構成された、格納された機械実行可能な命令群を記録した、コンピュータ読取可能な記録媒体。
【請求項３５】
コンピューティング・デバイスによって実行された場合、アクセス・ポイントから提供されるシステム・リソースへのアクセスを求める要求を、第１のアクセス端末から受信するように構成された、格納された機械実行可能な命令群をさらに記録した、請求項３４に記載のコンピュータ読取可能な記録媒体。
【請求項３６】
コンピューティング・デバイスによって実行された場合、前記無線アクセス・ポイントへの確立されたリンクの無いアクセス端末が、前記無線アクセス・ポイントへの確立されたリンクを持つアクセス端末へ提供されたＱｏＳに悪影響を与えることなく、システム・リソースへのアクセスが提供されうるかを判定する、ように構成された、格納された機械実行可能な命令群をさらに記録した、請求項３４に記載のコンピュータ読取可能な記録媒体。
【請求項３７】
コンピューティング・デバイスによって実行された場合、前記第１のアクセス端末が非メンバであり、アクセスを提供することが、前記無線アクセス・ポイントへの確立されたリンクを持つグループ・メンバに提供されたＱｏＳに悪影響を与えるのであれば、前記第１のアクセス端末の、システム・リソースへのアクセスを拒否する、ように構成された、格納された機械実行可能な命令群をさらに記録した、請求項３６に記載のコンピュータ読取可能な記録媒体。
【請求項３８】
コンピューティング・デバイスによって実行された場合、アクセスを提供することが、確立されたリンクを持つ任意のアクセス端末に提供されたＱｏＳに悪影響を与えない限り、前記第１のアクセス端末に、システム・リソースへのアクセスを提供する、ように構成された、格納された機械実行可能な命令群をさらに記録した、請求項３７に記載のコンピュータ読取可能な記録媒体。
【請求項３９】
コンピューティング・デバイスによって実行された場合、
前記第１のアクセス端末が非メンバであり、前記第１のアクセス端末に応じるために低下されうるＱｏＳをそれぞれ有する少なくとも１つの非メンバ・アクセス端末が存在する場合、前記第１のアクセス端末に、システム・リソースへのアクセスを提供する
ように構成された、格納された機械実行可能な命令群をさらに記録した、請求項３８に記載のコンピュータ読取可能な記録媒体。
【請求項４０】
コンピューティング・デバイスによって実行された場合、前記無線アクセス・ポイントと、以前に確立された低優先度のリンクを持つ非メンバとの間の通信を終了させること、および、以前に確立された低優先度のリンクを持つ非メンバのＱｏＳを低下させること、のうちの１つによって、前記第１のアクセス端末に、システム・リソースへのアクセスを提供するように構成された、格納された機械実行可能な命令群をさらに記録した、請求項３８に記載のコンピュータ読取可能な記録媒体。
【請求項４１】
コンピューティング・デバイスによって実行された場合、前記第１のアクセス端末がメンバであり、前記無線アクセス・ポイントへの以前に確立されたリンクを持つ少なくとも１つの非メンバが存在する場合、前記無線アクセス・ポイントと前記非メンバとの間の通信を終了させること、および、前記非メンバのＱｏＳを低下させること、のうちの１つによって、前記第１のアクセス端末に、システム・リソースへのアクセスを提供するように構成された、格納された機械実行可能な命令群をさらに記録した、請求項３８に記載のコンピュータ読取可能な記録媒体。
【請求項４２】
コンピューティング・デバイスによって実行された場合、前記第１のアクセス端末がメンバであり、前記無線アクセス・ポイントへの以前に確立されたリンクを持つ少なくとも１つの他のメンバが存在する場合、前記他のメンバのためのＱｏＳを低下させることによって、前記第１のアクセス端末に、システム・リソースへのアクセスを提供するように構成された、格納された機械実行可能な命令群をさらに記録した、請求項３８に記載のコンピュータ読取可能な記録媒体。
【請求項４３】
コンピューティング・デバイスによって実行された場合、
前記第１のアクセス端末に、システム・リソースへのアクセスが提供されうるかを、非メンバとの通信のＱｏＳを調節することによって判定し、
少なくとも１つの非メンバのＱｏＳを低下させることによって、前記第１のアクセス端末に、システム・リソースへのアクセスを提供する
ように構成された、格納された機械実行可能な命令群をさらに記録した、請求項３８に記載のコンピュータ読取可能な記録媒体。
【請求項４４】
無線アクセス・ポイントであって、
前記無線アクセス・ポイントから提供されるシステム・リソースへのアクセスを求める要求を、第１のアクセス端末から受信する手段と、
前記無線アクセス・ポイントから提供されるシステム・リソースを示す少なくとも１つの値を決定する手段と、
前記第１のアクセス端末がメンバであるか非メンバであるかに基づいて、複数のサービス・レベルのうちの１つから、前記第１のアクセス端末へのサービス・レベルを決定する手段と、
少なくとも１つのアクセス端末が、前記無線アクセス・ポイントへの確立されたリンクを有し、かつ、前記第１のアクセス端末へアクセスを提供することに応じるために低下されうるそれぞれのサービス品質（ＱｏＳ）を有する非メンバであるか否かを判定する手段と、
前記システム・リソースを示す少なくとも１つの値と、前記第１のアクセス端末および少なくとも１つの第２のアクセス端末のうちの少なくとも１つがグループのメンバであるか否かとの両方に基づいて、前記無線アクセス・ポイントと少なくとも１つの第２のアクセス端末との間の、通信のＱｏＳを選択的に調節する手段と
を備え、
メンバおよび非メンバのためのそれぞれのサービス・レベルは異なっており、
メンバは、非メンバよりも、システム・リソースに対して優先アクセスを有する、無線アクセス・ポイント。
【請求項４５】
前記無線アクセス・ポイントと１または複数のアクセス端末との間に順方向チャネルを提供する手段、ここで、前記順方向チャネルは、前記システム・リソースのうちの少なくとも一部を備える、をさらに備える請求項４４に記載の無線アクセス・ポイント。
【請求項４６】
前記受信する手段はさらに、前記無線アクセス・ポイントと１または複数のアクセス端末との間の逆方向チャネル通信を可能にし、前記逆方向チャネルは、前記システム・リソースのうちの少なくとも一部を備える、ように構成された請求項４４に記載の無線アクセス・ポイント。
【手続補正２】
【補正対象書類名】明細書
【補正対象項目名】０１０７
【補正方法】変更
【補正の内容】
【０１０７】
上記記載は、当業者をして、特許請求の範囲のスコープ内で、実施形態を製造または利用できるように提供されている。これらの態様へのさまざまな変形は、当業者に容易に明らかであって、本明細書で定義された一般原理は、本開示の範囲から逸脱することなく、他の態様に適用されうる。このように、本開示は、本明細書で示された態様に限定されるものではなく、本明細書で開示された原理および新規な特徴に一致した最も広い範囲に相当することが意図されている。
以下に、本願出願当初の特許請求の範囲に記載された発明を付記する。
［１］無線アクセス・ポイントにおいて通信を管理する方法であって、
前記無線アクセス・ポイントから提供されるシステム・リソースへのアクセスを求める要求を、第１のアクセス端末から受信することと、
前記第１のアクセス端末が、グループのメンバであるか非メンバであるかを判定することと、
前記第１のアクセス端末がメンバであるか非メンバであるかに基づいて、複数のサービス・レベルのうちの１つから、前記第１のアクセス端末のためのサービス・レベルを決定することとを備え、
前記メンバおよび非メンバのためのそれぞれのサービス・レベルは異なっている、方法。
［２］前記第１のアクセス端末が、メンバであるか非メンバであるかを示すメッセージを受信することをさらに備える［１］に記載の方法。
［３］前記メッセージは、コア・ネットワーク内の要素から受信される、［２］に記載の方法。
［４］前記サービス・レベルを決定することは、システム・リソースのうちの、前記グループに含まれる１または複数の別のアクセス端末に割り当てられたシステム・リソースの異なる部分よりもわずかな部分を、前記第１のアクセス端末へ割り当てることを含む、［１］に記載の方法。
［５］前記無線アクセス・ポイントから提供されるシステム・リソースを示す少なくとも１つの値を決定することと、
前記システム・リソースを示す値と、前記第１のアクセス端末および第２のアクセス端末のうちの少なくとも１つがグループのメンバであるか否かとの両方に基づいて、前記無線アクセス・ポイントと前記第２のアクセス端末との間の通信のサービス品質（ＱｏＳ）を選択的に調節することとをさらに備え、
メンバは、非メンバよりも、システム・リソースに対して優先アクセスを有する、［１］に記載の方法。
［６］前記第１のアクセス端末および第２のアクセス端末の両方がメンバであり、前記要求に応えることが、前記無線アクセス・ポイントと前記第２のアクセス端末との間の通信のＱｏＳに悪影響を与えるのであれば、前記ＱｏＳは調節されない、［５］に記載の方法。
［７］前記第２のアクセス端末がメンバであり、前記第１のアクセス端末が非メンバである場合、前記ＱｏＳは調節されない、［５］に記載の方法。
［８］システム・リソースを示す少なくとも１つの値は、利用可能な容量、利用された容量、および合計容量、のうちの１つを示すデータを備える、［５］に記載の方法。
［９］前記利用可能な容量を決定することは、前記無線アクセス・ポイントへの確立されたリンクの無いアクセス端末が、前記無線アクセス・ポイントへの確立されたリンクを持つアクセス端末へ提供されたＱｏＳに悪影響を与えることなく、システム・リソースへのアクセスが提供されうるかを判定することを含む、［８］に記載の方法。
［１０］前記第１のアクセス端末が、グループのメンバであるかを判定することと、
前記第１のアクセス端末が非メンバであり、アクセスを提供することが、前記無線アクセス・ポイントへの確立されたリンクを持つグループ・メンバに提供されたＱｏＳに悪影響を与えるのであれば、前記第１のアクセス端末の、システム・リソースへのアクセスを拒否することと
をさらに備える［９］に記載の方法。
［１１］アクセスを提供することが、前記無線アクセス・ポイントへの確立されたリンクを持つ任意のアクセス端末に提供されたＱｏＳに悪影響を与えない限り、前記第１のアクセス端末に、システム・リソースへのアクセスを提供すること、をさらに備える［１０］に記載の方法。
［１２］前記第１のアクセス端末へアクセスを提供することに応じるために低下されうるＱｏＳをそれぞれ有する非メンバであり、無線アクセス・ポイントへの確立されたリンクを持つ、少なくとも１つのアクセス端末が存在するかを判定することと、
前記第１のアクセス端末が非メンバであり、前記第１のアクセス端末に応じるために低下されうるＱｏＳをそれぞれ有する少なくとも１つの非メンバ・アクセス端末が存在する場合、前記第１のアクセス端末に、システム・リソースへのアクセスを提供することと
をさらに備える［１０］に記載の方法。
［１３］前記無線アクセス・ポイントと、以前に確立された低優先度のリンクを持つ非メンバとの間の通信を終了させること、および、以前に確立された低優先度のリンクを持つ非メンバのＱｏＳを低下させること、のうちの１つによって、前記第１のアクセス端末に、システム・リソースへのアクセスを提供することをさらに備える［１０］に記載の方法。
［１４］前記第１のアクセス端末が、グループのメンバであるかを判定することと、
前記第１のアクセス端末がメンバであり、前記無線アクセス・ポイントへの以前に確立されたリンクを持つ少なくとも１つの非メンバが存在する場合、前記無線アクセス・ポイントと前記非メンバとの間の通信を終了させること、および、前記非メンバのためのＱｏＳを低下させることのうちの１つによって、前記第１のアクセス端末に、システム・リソースへのアクセスを提供することと
をさらに備える［９］に記載の方法。
［１５］前記第１のアクセス端末がメンバであり、前記無線アクセス・ポイントへの以前に確立されたリンクを持つ少なくとも１つの他のメンバが存在する場合、前記他のメンバのためのＱｏＳを低下させることによって、前記第１のアクセス端末に、システム・リソースへのアクセスを提供することをさらに備える［１４］に記載の方法。
［１６］前記第１のアクセス端末に、システム・リソースへのアクセスが提供されうるかを、非メンバとの通信のＱｏＳを調節することによって判定することと、
少なくとも１つの非メンバのＱｏＳを低下させることによって、前記第１のアクセス端末に、システム・リソースへのアクセスを提供することと
をさらに備える［１４］に記載の方法。
［１７］前記アクセス端末のうちのいくつかが、複数の異なるグループに属しており、これらグループのおのおのは、少なくとも１つの別のグループと比べて、前記システム・リソースへの異なる優先アクセス権を有する、［１］に記載の方法。
［１８］前記ＱｏＳは、許容可能なビット誤り率、許容可能なシンボル誤り率、許容可能なパケット誤り率、データ送信レート、シンボル送信レート、パケット送信レート、保証ビット・レート、許容可能な信号対雑音、割当および保持優先度のうちの少なくとも１つによって定義される、［５］に記載の方法。
［１９］前記第１のアクセス端末は、保証ビット・レート（ＧＢＲ）サービスを備えた通信リンクを要求し、メンバおよび非メンバに提供されたそれぞれのサービス・レベル間の区別は、割当および保持優先度（ＡＲＰ）を適用することにより、アクセス制御とともに実施される、［１］に記載の方法。
［２０］前記第１のアクセス端末は、非保証ビット・レート（非ＧＢＲ）サービスを備えた通信リンクを要求し、メンバおよび非メンバに提供されたそれぞれのサービス・レベル間の区別は、高優先度を持つメンバのパケットを取り扱うことによって実施され、その結果、非メンバに比べて、メンバに対して高いスループットおよび低い遅延となる、［１］に記載の方法。
［２１］無線アクセス・ポイントであって、
前記無線アクセス・ポイントから提供されるシステム・リソースへのアクセスを求める要求を、第１のアクセス端末から受信するように構成された受信機と、
前記無線アクセス・ポイントと１または複数のアクセス端末との間に順方向チャネルを提供するように構成された送信機と、
ここで、前記順方向チャネルは、前記システム・リソースのうちの少なくとも一部を備え、
コードを実行するように構成されたコントローラと、
前記コントローラによって実行された場合、前記第１のアクセス端末が、グループのメンバであるか非メンバであるかを判定し、前記第１のアクセス端末がメンバであるか非メンバであるかに基づいて、前記第１のアクセス端末のために、複数のサービス・レベルのうちの１つから、サービス・レベルを決定し、ここで、メンバおよび非メンバのためのそれぞれのサービス・レベルは異なっている、ように構成されたコードを格納する非一時的コンピュータ読取可能メモリと
を備える無線アクセス・ポイント。
［２２］前記受信機はさらに、前記無線アクセス・ポイントと１または複数のアクセス端末との間の逆方向チャネル通信を可能にするように構成され、前記逆方向チャネルは、前記システム・リソースのうちの少なくとも一部を備える、［２１］に記載の無線アクセス・ポイント。
［２３］無線ネットワーク内のモビリティ管理エンティティから、前記無線アクセス・ポイントへ、グループ・メンバシップ・データが提供される、［２１］に記載の無線アクセス・ポイント。
［２４］前記サービス・レベルを決定することは、システム・リソースのうちの、前記グループに含まれる１または複数の別のアクセス端末に割り当てられたシステム・リソースの異なる部分よりもわずかな部分を、前記第１のアクセス端末へ割り当てることを含む、［２１］に記載の無線アクセス・ポイント。
［２５］前記非一時的コンピュータ読取可能メモリはさらに、前記コントローラによって実行された場合、
前記無線アクセス・ポイントから提供されるシステム・リソースを示す少なくとも１つの値を決定し、
前記システム・リソースを示す値と、第１のアクセス端末および第２のアクセス端末のうちの少なくとも１つがグループのメンバであるか否かとの両方に基づいて、前記無線アクセス・ポイントと前記第２のアクセス端末との間の通信のサービス品質（ＱｏＳ）を選択的に調節し、ここで、メンバは、非メンバよりも、システム・リソースに対して優先アクセスを有する、ように構成されたコードを格納している、［２１］に記載の無線アクセス・ポイント。
［２６］前記非一時的コンピュータ読取可能メモリはさらに、前記コントローラによって実行された場合、前記無線アクセス・ポイントへの確立されたリンクの無いアクセス端末が、前記無線アクセス・ポイントへの確立されたリンクを持つアクセス端末へ提供されたＱｏＳに悪影響を与えることなく、システム・リソースへのアクセスが提供されうるかを判定するように構成されたコードを備える、［２５］に記載の無線アクセス・ポイント。
［２７］前記非一時的コンピュータ読取可能メモリはさらに、前記コントローラによって実行された場合、
前記第１のアクセス端末が、グループのメンバであるかを判定することと、
前記第１のアクセス端末が非メンバであり、アクセスを提供することが、前記無線アクセス・ポイントへの確立されたリンクを持つグループ・メンバに提供されたＱｏＳに悪影響を与えるのであれば、前記第１のアクセス端末の、システム・リソースへのアクセスを拒否する、
ように構成されたコードを備える、［２５］に記載の無線アクセス・ポイント。
［２８］前記非一時的コンピュータ読取可能メモリはさらに、前記コントローラによって実行された場合、アクセスを提供することが、前記無線アクセス・ポイントへの確立されたリンクを持つ任意のアクセス端末に提供されたＱｏＳに悪影響を与えない限り、前記第１のアクセス端末に、システム・リソースへのアクセスを提供するように構成されたコードを備える、［２７］に記載の無線アクセス・ポイント。
［２９］前記非一時的コンピュータ読取可能メモリはさらに、前記コントローラによって実行された場合、
前記第１のアクセス端末へアクセスを提供することに応じるために低下されうるＱｏＳをそれぞれ有する非メンバであり、無線アクセス・ポイントへの確立されたリンクを持つ、少なくとも１つのアクセス端末が存在するかを判定し、
前記第１のアクセス端末が非メンバであり、前記第１のアクセス端末に応じるために低下されうるＱｏＳをそれぞれ有する少なくとも１つの非メンバ・アクセス端末が存在する場合、前記第１のアクセス端末に、システム・リソースへのアクセスを提供する
ように構成されたコードを備える、［２７］に記載の無線アクセス・ポイント。
［３０］前記非一時的コンピュータ読取可能メモリはさらに、前記コントローラによって実行された場合、前記無線アクセス・ポイントと、以前に確立された低優先度のリンクを持つ非メンバとの間の通信を終了させること、および、以前に確立された低優先度のリンクを持つ非メンバのＱｏＳを低下させること、のうちの１つによって、前記第１のアクセス端末に、システム・リソースへのアクセスを提供するように構成されたコードを備える、［２７］に記載の無線アクセス・ポイント。
［３１］前記非一時的コンピュータ読取可能メモリはさらに、前記コントローラによって実行された場合、前記第１のアクセス端末がメンバであり、前記無線アクセス・ポイントへの以前に確立されたリンクを持つ少なくとも１つの非メンバが存在する場合、前記無線アクセス・ポイントと前記非メンバとの間の通信を終了させること、および、前記非メンバのためのＱｏＳを低下させることのうちの１つによって、前記第１のアクセス端末に、システム・リソースへのアクセスを提供する、ように構成されたコードを備える、［２６］に記載の無線アクセス・ポイント。
［３２］前記非一時的コンピュータ読取可能メモリはさらに、前記コントローラによって実行された場合、前記第１のアクセス端末がメンバであり、前記無線アクセス・ポイントへの以前に確立されたリンクを持つ少なくとも１つの他のメンバが存在する場合、前記他のメンバのためのＱｏＳを低下させることによって、前記第１のアクセス端末に、システム・リソースへのアクセスを提供する、ように構成されたコードを備える、［３１］に記載の無線アクセス・ポイント。
［３３］前記非一時的コンピュータ読取可能メモリはさらに、前記コントローラによって実行された場合、
前記第１のアクセス端末に、システム・リソースへのアクセスが提供されうるかを、非メンバとの通信のＱｏＳを調節することによって判定し、
少なくとも１つの非メンバのＱｏＳを低下させることによって、前記第１のアクセス端末に、システム・リソースへのアクセスを提供する
ように構成されたコードを備える、［３１］に記載の無線アクセス・ポイント。
［３４］コンピューティング・デバイスによって実行された場合、
第１のアクセス端末が、グループのメンバであるか非メンバであるかを判定し、
前記第１のアクセス端末がメンバであるか非メンバであるかに基づいて、前記第１のアクセス端末のために、複数のサービス・レベルのうちの１つから、サービス・レベルを決定し、ここで、メンバおよび非メンバのためのそれぞれのサービス・レベルは異なっている、
ように構成された、格納された機械実行可能な命令群を有する機械読取可能媒体を備える、コンピュータ・プログラム製品。
［３５］コンピューティング・デバイスによって実行された場合、アクセス・ポイントから提供されるシステム・リソースへのアクセスを求める要求を、第１のアクセス端末から受信するように構成された、格納された機械実行可能な命令群をさらに備える、［３４］に記載のコンピュータ・プログラム製品。
［３６］コンピューティング・デバイスによって実行された場合、システム・リソースを示す値と、前記第１のアクセス端末および第２のアクセス端末のうちの少なくとも１つがグループのメンバであるか否かとの両方に基づいて、無線アクセス・ポイントと前記第２のアクセス端末との間の通信のサービス品質（ＱｏＳ）を選択的に調節する、ここで、メンバは、非メンバよりも、システム・リソースに対して優先アクセスを有する、ように構成された、格納された機械実行可能な命令群をさらに備える、［３４］に記載のコンピュータ・プログラム製品。
［３７］コンピューティング・デバイスによって実行された場合、前記無線アクセス・ポイントへの確立されたリンクの無いアクセス端末が、前記無線アクセス・ポイントへの確立されたリンクを持つアクセス端末へ提供されたＱｏＳに悪影響を与えることなく、システム・リソースへのアクセスが提供されうるかを判定する、ように構成された、格納された機械実行可能な命令群をさらに備える、［３６］に記載のコンピュータ・プログラム製品。
［３８］コンピューティング・デバイスによって実行された場合、前記第１のアクセス端末が非メンバであり、アクセスを提供することが、前記無線アクセス・ポイントへの確立されたリンクを持つグループ・メンバに提供されたＱｏＳに悪影響を与えるのであれば、前記第１のアクセス端末の、システム・リソースへのアクセスを拒否する、ように構成された、格納された機械実行可能な命令群をさらに備える、［３７］に記載のコンピュータ・プログラム製品。
［３９］コンピューティング・デバイスによって実行された場合、アクセスを提供することが、確立されたリンクを持つ任意のアクセス端末に提供されたＱｏＳに悪影響を与えない限り、前記第１のアクセス端末に、システム・リソースへのアクセスを提供する、ように構成された、格納された機械実行可能な命令群をさらに備える、［３８］に記載のコンピュータ・プログラム製品。
［４０］コンピューティング・デバイスによって実行された場合、
前記第１のアクセス端末へアクセスを提供することに応じるために低下されうるＱｏＳをそれぞれ有する非メンバであり、無線アクセス・ポイントへの確立されたリンクを持つ、少なくとも１つのアクセス端末が存在するかを判定し、
前記第１のアクセス端末が非メンバであり、前記第１のアクセス端末に応じるために低下されうるＱｏＳをそれぞれ有する少なくとも１つの非メンバ・アクセス端末が存在する場合、前記第１のアクセス端末に、システム・リソースへのアクセスを提供する
ように構成された、格納された機械実行可能な命令群をさらに備える、［３９］に記載のコンピュータ・プログラム製品。
［４１］コンピューティング・デバイスによって実行された場合、前記無線アクセス・ポイントと、以前に確立された低優先度のリンクを持つ非メンバとの間の通信を終了させること、および、以前に確立された低優先度のリンクを持つ非メンバのＱｏＳを低下させること、のうちの１つによって、前記第１のアクセス端末に、システム・リソースへのアクセスを提供するように構成された、格納された機械実行可能な命令群をさらに備える、［３９］に記載のコンピュータ・プログラム製品。
［４２］コンピューティング・デバイスによって実行された場合、前記第１のアクセス端末がメンバであり、前記無線アクセス・ポイントへの以前に確立されたリンクを持つ少なくとも１つの非メンバが存在する場合、前記無線アクセス・ポイントと前記非メンバとの間の通信を終了させること、および、前記非メンバのＱｏＳを低下させること、のうちの１つによって、前記第１のアクセス端末に、システム・リソースへのアクセスを提供するように構成された、格納された機械実行可能な命令群をさらに備える、［３９］に記載のコンピュータ・プログラム製品。
［４３］コンピューティング・デバイスによって実行された場合、前記第１のアクセス端末がメンバであり、前記無線アクセス・ポイントへの以前に確立されたリンクを持つ少なくとも１つの他のメンバが存在する場合、前記他のメンバのためのＱｏＳを低下させることによって、前記第１のアクセス端末に、システム・リソースへのアクセスを提供するように構成された、格納された機械実行可能な命令群をさらに備える、［３９］に記載のコンピュータ・プログラム製品。
［４４］コンピューティング・デバイスによって実行された場合、
前記第１のアクセス端末に、システム・リソースへのアクセスが提供されうるかを、非メンバとの通信のＱｏＳを調節することによって判定し、
少なくとも１つの非メンバのＱｏＳを低下させることによって、前記第１のアクセス端末に、システム・リソースへのアクセスを提供する
ように構成された、格納された機械実行可能な命令群をさらに備える、［３９］に記載のコンピュータ・プログラム製品。
［４５］無線アクセス・ポイントであって、
前記無線アクセス・ポイントから提供されるシステム・リソースへのアクセスを求める要求を、第１のアクセス端末から受信する手段と、
前記無線アクセス・ポイントから提供されるシステム・リソースを示す少なくとも１つの値を決定する手段と、
コードを実行する手段によって実行された場合、前記第１のアクセス端末がメンバであるか非メンバであるかに基づいて、複数のサービス・レベルのうちの１つから、前記第１のアクセス端末へのサービス・レベルを決定するように構成されたコードを格納する手段とを備え、
メンバおよび非メンバのためのそれぞれのサービス・レベルは異なっている、無線アクセス・ポイント。
［４６］前記コードを格納する手段はさらに、システム・リソースを示す値と、前記第１のアクセス端末および第２のアクセス端末のうちの少なくとも１つがグループのメンバであるか否かとの両方に基づいて、前記無線アクセス・ポイントと前記第２のアクセス端末との間の通信のサービス品質（ＱｏＳ）を選択的に調節し、ここで、メンバは、非メンバよりも、システム・リソースに対して優先アクセスを有する、ように構成された［４５］に記載の無線アクセス・ポイント。
［４７］前記無線アクセス・ポイントと１または複数のアクセス端末との間に順方向チャネルを提供する手段、ここで、前記順方向チャネルは、前記システム・リソースのうちの少なくとも一部を備える、をさらに備える［４５］に記載の無線アクセス・ポイント。
［４８］前記受信する手段はさらに、前記無線アクセス・ポイントと１または複数のアクセス端末との間の逆方向チャネル通信を可能にし、前記逆方向チャネルは、前記システム・リソースのうちの少なくとも一部を備える、ように構成された［４５］に記載の無線アクセス・ポイント。
【外国語明細書】
2014180018000001.pdf